(57)【要約】  いくつかの実施形態によれば、無線デバイスにおいて使用するためのデバイス能力をシグナリングする方法は、無線デバイスによってサポートされる周波数帯域組合せをコンパイルすることを含む。本方法は、無線デバイスによってサポートされるデバイス能力のセットをコンパイルすることと、能力メッセージをアセンブルすることとをさらに含む。能力メッセージは、周波数帯域組合せと、無線デバイスによってサポートされるデバイス能力の組合せとを含み、１つまたは複数の周波数帯域組合せの各々について、能力メッセージは、周波数帯域組合せによってサポートされる１つまたは複数のデバイス能力の第１の指示を含む。周波数帯域組合せによってサポートされるデバイス能力の第１の指示は、複数の周波数帯域の各帯域について、周波数帯域組合せ中の他の帯域と組み合わせて使用されるとき、帯域によってサポートされるデバイス能力の１つまたは複数の組合せのうちの１つの指示を備える。【選択図】図３
2020536450.tif 000002
【特許請求の範囲】
【請求項１】
無線通信ネットワークの無線デバイスにおいて使用するためのデバイス能力をシグナリングする方法であって、前記方法は、
前記無線デバイスによってサポートされる１つまたは複数の周波数帯域組合せをコンパイルすること（４１２）であって、各周波数帯域組合せは、前記無線デバイスが無線信号の送信または受信のために一緒に使用することができる複数の周波数帯域を含む、１つまたは複数の周波数帯域組合せをコンパイルすること（４１２）と、
前記無線デバイスによってサポートされるデバイス能力のセットをコンパイルすること（４１４）と、
能力メッセージをアセンブルすること（４１６）であって、前記能力メッセージが、
前記無線デバイスによってサポートされる前記１つまたは複数の周波数帯域組合せと、
前記１つまたは複数の周波数帯域組合せの１つまたは複数の帯域上で前記無線デバイスによってサポートされる前記デバイス能力の１つまたは複数の組合せと
を含み、
前記１つまたは複数の周波数帯域組合せの各々について、前記能力メッセージが、前記周波数帯域組合せによってサポートされる１つまたは複数のデバイス能力の第１の指示を含み、前記周波数帯域組合せによってサポートされる前記１つまたは複数のデバイス能力の前記第１の指示が、前記複数の周波数帯域の各帯域について、前記周波数帯域組合せ中の他の帯域と組み合わせて使用されるとき、前記帯域によってサポートされる前記デバイス能力の前記１つまたは複数の組合せのうちの１つの指示を含む、
能力メッセージをアセンブルすること（４１６）と、
前記能力メッセージをネットワークノードに送ること（４１８）と
を含む、方法。
【請求項２】
前記複数の周波数帯域の各帯域について、前記周波数帯域組合せ中の前記他の帯域と組み合わせて使用されるとき、前記帯域によってサポートされる前記デバイス能力の前記１つまたは複数の組合せのうちの１つの前記指示が、アップリンクデバイス能力の指示とダウンリンク能力の指示とを含む、請求項１に記載の方法。
【請求項３】
前記１つまたは複数の周波数帯域組合せの各々について、前記能力メッセージが、前記周波数帯域組合せによってサポートされる１つまたは複数のデバイス能力の第２の指示を含み、前記周波数帯域組合せによってサポートされる前記１つまたは複数のデバイス能力の前記第２の指示が、前記複数の周波数帯域の各帯域について、前記周波数帯域組合せ中の前記他の帯域と組み合わせて使用されるとき、前記帯域によってサポートされる前記デバイス能力の前記１つまたは複数の組合せのうちの１つの指示を含む、請求項１または２に記載の方法。
【請求項４】
前記デバイス能力の前記１つまたは複数の組合せの各々がインデックスに関連付けられ、前記帯域によってサポートされる前記デバイス能力の前記１つまたは複数の組合せのうちの１つの前記指示が、前記デバイス能力の前記１つまたは複数の組合せのうちの１つの前記インデックスを含む、請求項１から３のいずれか一項に記載の方法。
【請求項５】
前記デバイス能力が、
前記帯域のための帯域幅、
ネットワーク支援干渉除去および抑制（ＮＡＩＣＳ）のサポート、
サポートされる多入力多出力（ＭＩＭＯ）レイヤの数、
前記帯域中でサポートされるキャリアの数、
アップリンクについての前記帯域中でサポートされるキャリアの数、および
ダウンリンクについての前記帯域中でサポートされるキャリアの数
のグループから選択される少なくとも１つの能力を含む、請求項１から４のいずれか一項に記載の方法。
【請求項６】
デバイス能力の前記セットが、各デバイス能力に関連するコストを含み、前記コストが、前記能力を実施するために必要とされるデバイス処理パワーの量を表す、請求項１から５のいずれか一項に記載の方法。
【請求項７】
前記ネットワークノードからデバイス設定を受信すること（４２０）であって、前記デバイス設定が、前記１つまたは複数の周波数帯域組合せのうちの１つに応じた設定を含む、デバイス設定を受信すること（４２０）をさらに含む、請求項１から６のいずれか一項に記載の方法。
【請求項８】
デバイス能力をシグナリングすることが可能な無線デバイス（１１０）であって、前記無線デバイスは、
前記無線デバイスによってサポートされる１つまたは複数の周波数帯域組合せをコンパイルすることであって、各周波数帯域組合せは、前記無線デバイスが無線信号の送信または受信のために一緒に使用することができる複数の周波数帯域を含む、１つまたは複数の周波数帯域組合せをコンパイルすることと、
前記無線デバイスによってサポートされるデバイス能力のセットをコンパイルすることと、
能力メッセージをアセンブルすることであって、前記能力メッセージが、
前記無線デバイスによってサポートされる前記１つまたは複数の周波数帯域組合せと、
前記１つまたは複数の周波数帯域組合せの１つまたは複数の帯域上で前記無線デバイスによってサポートされる前記デバイス能力の１つまたは複数の組合せと
を含み、
前記１つまたは複数の周波数帯域組合せの各々について、前記能力メッセージが、前記周波数帯域組合せによってサポートされる１つまたは複数のデバイス能力の第１の指示を含み、前記周波数帯域組合せによってサポートされる前記１つまたは複数のデバイス能力の前記第１の指示が、前記複数の周波数帯域の各帯域について、前記周波数帯域組合せ中の他の帯域と組み合わせて使用されるとき、前記帯域によってサポートされる前記デバイス能力の前記１つまたは複数の組合せのうちの１つの指示を含む、
能力メッセージをアセンブルすることと、
前記能力メッセージをネットワークノード（１２０）に送ることと
を行うように動作可能な処理回路要素（１３２０）を含む、無線デバイス（１１０）。
【請求項９】
前記複数の周波数帯域の各帯域について、前記周波数帯域組合せ中の前記他の帯域と組み合わせて使用されるとき、前記帯域によってサポートされる前記デバイス能力の前記１つまたは複数の組合せのうちの１つの前記指示が、アップリンクデバイス能力の指示とダウンリンク能力の指示とを含む、請求項８に記載の無線デバイス。
【請求項１０】
前記１つまたは複数の周波数帯域組合せの各々について、前記能力メッセージが、前記周波数帯域組合せによってサポートされる１つまたは複数のデバイス能力の第２の指示を含み、前記周波数帯域組合せによってサポートされる前記１つまたは複数のデバイス能力の前記第２の指示が、前記複数の周波数帯域の各帯域について、前記周波数帯域組合せ中の前記他の帯域と組み合わせて使用されるとき、前記帯域によってサポートされる前記デバイス能力の前記１つまたは複数の組合せのうちの１つの指示を含む、請求項８または９に記載の無線デバイス。
【請求項１１】
前記デバイス能力の前記１つまたは複数の組合せの各々がインデックスに関連付けられ、前記帯域によってサポートされる前記デバイス能力の前記１つまたは複数の組合せのうちの１つの前記指示が、前記デバイス能力の前記１つまたは複数の組合せのうちの１つの前記インデックスを含む、請求項８から１０のいずれか一項に記載の無線デバイス。
【請求項１２】
前記デバイス能力が、
前記帯域のための帯域幅、
ネットワーク支援干渉除去および抑制（ＮＡＩＣＳ）のサポート、
サポートされる多入力多出力（ＭＩＭＯ）レイヤの数、
前記帯域中でサポートされるキャリアの数、
アップリンクについての前記帯域中でサポートされるキャリアの数、
ダウンリンクについての前記帯域中でサポートされるキャリアの数
のグループから選択される少なくとも１つの能力を含む、請求項８から１１のいずれか一項に記載の無線デバイス。
【請求項１３】
デバイス能力の前記セットが、各デバイス能力に関連するコストを含み、前記コストが、前記能力を実施するために必要とされるデバイス処理パワーの量を表す、請求項８から１２のいずれか一項に記載の無線デバイス。
【請求項１４】
前記処理回路要素は、前記ネットワークノードからデバイス設定を受信することであって、前記デバイス設定が、前記１つまたは複数の周波数帯域組合せのうちの１つに応じた設定を含む、デバイス設定を受信することを行うようにさらに動作可能である、請求項８から１３のいずれか一項に記載の無線デバイス。
【請求項１５】
無線通信ネットワークのネットワークノードにおいて使用するためのデバイス能力をシグナリングする方法であって、前記方法は、
無線デバイスから、能力メッセージを受信すること（５１２）であって、前記能力メッセージが、
前記無線デバイスによってサポートされる１つまたは複数の周波数帯域組合せと、
前記１つまたは複数の周波数帯域組合せの１つまたは複数の帯域上で前記無線デバイスによってサポートされる前記デバイス能力の１つまたは複数の組合せと
を含み、
前記１つまたは複数の周波数帯域組合せの各々について、前記能力メッセージが、前記周波数帯域組合せによってサポートされる１つまたは複数のデバイス能力の第１の指示を含み、前記周波数帯域組合せによってサポートされる前記１つまたは複数のデバイス能力の前記第１の指示が、複数の周波数帯域の各帯域について、前記周波数帯域組合せ中の他の帯域と組み合わせて使用されるとき、前記帯域によってサポートされる前記デバイス能力の前記１つまたは複数の組合せのうちの１つの指示を含む、
能力メッセージを受信すること（５１２）と、
前記能力メッセージに基づいて前記無線デバイスのための設定を決定すること（５１４）と
を含む、方法。
【請求項１６】
前記複数の周波数帯域の各帯域について、前記周波数帯域組合せ中の前記他の帯域と組み合わせて使用されるとき、前記帯域によってサポートされる前記デバイス能力の前記１つまたは複数の組合せのうちの１つの前記指示が、アップリンクデバイス能力の指示とダウンリンク能力の指示とを含む、請求項１５に記載の方法。
【請求項１７】
前記１つまたは複数の周波数帯域組合せの各々について、前記能力メッセージが、前記周波数帯域組合せによってサポートされる１つまたは複数のデバイス能力の第２の指示を含み、前記周波数帯域組合せによってサポートされる前記１つまたは複数のデバイス能力の前記第２の指示が、前記複数の周波数帯域の各帯域について、前記周波数帯域組合せ中の前記他の帯域と組み合わせて使用されるとき、前記帯域によってサポートされる前記デバイス能力の前記１つまたは複数の組合せのうちの１つの指示を含む、請求項１５または１６に記載の方法。
【請求項１８】
前記デバイス能力の前記１つまたは複数の組合せの各々がインデックスに関連付けられ、前記帯域によってサポートされる前記デバイス能力の前記１つまたは複数の組合せのうちの１つの前記指示が、前記デバイス能力の前記１つまたは複数の組合せのうちの１つの前記インデックスを含む、請求項１５から１７のいずれか一項に記載の方法。
【請求項１９】
前記デバイス能力が、
前記帯域のための帯域幅、
ネットワーク支援干渉除去および抑制（ＮＡＩＣＳ）のサポート、
サポートされる多入力多出力（ＭＩＭＯ）レイヤの数、
前記帯域中でサポートされるキャリアの数、
アップリンクについての前記帯域中でサポートされるキャリアの数、および
ダウンリンクについての前記帯域中でサポートされるキャリアの数
のグループから選択される少なくとも１つの能力を含む、請求項１５から１８のいずれか一項に記載の方法。
【請求項２０】
デバイス能力のセットが、各デバイス能力に関連するコストを含み、前記コストが、前記能力を実施するために必要とされるデバイス処理パワーの量を表す、請求項１５から１９のいずれか一項に記載の方法。
【請求項２１】
前記決定された設定を前記無線デバイスに送ること（５１６）をさらに含む、請求項１５から２０のいずれか一項に記載の方法。
【請求項２２】
デバイス能力をシグナリングすることが可能なネットワークノード（１２０）であって、前記ネットワークノードは、
無線デバイス（１１０）から、能力メッセージを受信することであって、前記能力メッセージが、
前記無線デバイスによってサポートされる１つまたは複数の周波数帯域組合せと、
前記１つまたは複数の周波数帯域組合せの１つまたは複数の帯域上で前記無線デバイスによってサポートされる前記デバイス能力の１つまたは複数の組合せと
を含み、
前記１つまたは複数の周波数帯域組合せの各々について、前記能力メッセージが、前記周波数帯域組合せによってサポートされる１つまたは複数のデバイス能力の第１の指示を含み、前記周波数帯域組合せによってサポートされる前記１つまたは複数のデバイス能力の前記第１の指示が、複数の周波数帯域の各帯域について、前記周波数帯域組合せ中の他の帯域と組み合わせて使用されるとき、前記帯域によってサポートされる前記デバイス能力の前記１つまたは複数の組合せのうちの１つの指示を含む、
能力メッセージを受信することと、
前記能力メッセージに基づいて前記無線デバイスのための設定を決定することと
を行うように動作可能な処理回路要素（１４２０）を含む、ネットワークノード（１２０）。
【請求項２３】
前記複数の周波数帯域の各帯域について、前記周波数帯域組合せ中の前記他の帯域と組み合わせて使用されるとき、前記帯域によってサポートされる前記デバイス能力の前記１つまたは複数の組合せのうちの１つの前記指示が、アップリンクデバイス能力の指示とダウンリンク能力の指示とを含む、請求項２２に記載のネットワークノード。
【請求項２４】
前記１つまたは複数の周波数帯域組合せの各々について、前記能力メッセージが、前記周波数帯域組合せによってサポートされる１つまたは複数のデバイス能力の第２の指示を含み、前記周波数帯域組合せによってサポートされる前記１つまたは複数のデバイス能力の前記第２の指示が、前記複数の周波数帯域の各帯域について、前記周波数帯域組合せ中の前記他の帯域と組み合わせて使用されるとき、前記帯域によってサポートされる前記デバイス能力の前記１つまたは複数の組合せのうちの１つの指示を含む、請求項２２または２３に記載のネットワークノード。
【請求項２５】
前記デバイス能力の前記１つまたは複数の組合せの各々がインデックスに関連付けられ、前記帯域によってサポートされる前記デバイス能力の前記１つまたは複数の組合せのうちの１つの前記指示が、前記デバイス能力の前記１つまたは複数の組合せのうちの１つの前記インデックスを含む、請求項２２から２４のいずれか一項に記載のネットワークノード。
【請求項２６】
前記デバイス能力が、
前記帯域のための帯域幅、
ネットワーク支援干渉除去および抑制（ＮＡＩＣＳ）のサポート、
サポートされる多入力多出力（ＭＩＭＯ）レイヤの数、
前記帯域中でサポートされるキャリアの数、
アップリンクについての前記帯域中でサポートされるキャリアの数、および
ダウンリンクについての前記帯域中でサポートされるキャリアの数
のグループから選択される少なくとも１つの能力を含む、請求項２２から２５のいずれか一項に記載のネットワークノード。
【請求項２７】
デバイス能力のセットが、各デバイス能力に関連するコストを含み、前記コストが、前記能力を実施するために必要とされるデバイス処理パワーの量を表す、請求項２２から２６のいずれか一項に記載のネットワークノード。
【請求項２８】
前記処理回路要素が、前記決定された設定を前記無線デバイスに送るようにさらに動作可能である、請求項２２から２７のいずれか一項に記載のネットワークノード。
【請求項２９】
デバイス能力をシグナリングすることが可能な無線デバイス（１１０）であって、前記無線デバイスが、取得モジュール（１３５０）と、アセンブルモジュール（１３５４）と、送信モジュール（１３５２）とを備え、
前記取得モジュールは、
前記無線デバイスによってサポートされる１つまたは複数の周波数帯域組合せをコンパイルすることであって、各周波数帯域組合せは、前記無線デバイスが無線信号の送信または受信のために一緒に使用することができる複数の周波数帯域を含む、１つまたは複数の周波数帯域組合せをコンパイルすることと、
前記無線デバイスによってサポートされるデバイス能力のセットをコンパイルすることと
を行うように動作可能であり、
前記アセンブルモジュールは、能力メッセージをアセンブルすることであって、前記能力メッセージが、
前記無線デバイスによってサポートされる前記１つまたは複数の周波数帯域組合せと、
前記１つまたは複数の周波数帯域組合せの１つまたは複数の帯域上で前記無線デバイスによってサポートされる前記デバイス能力の１つまたは複数の組合せと
を含み、
前記１つまたは複数の周波数帯域組合せの各々について、前記能力メッセージが、前記周波数帯域組合せによってサポートされる１つまたは複数のデバイス能力の第１の指示を含み、前記周波数帯域組合せによってサポートされる前記１つまたは複数のデバイス能力の前記第１の指示が、前記複数の周波数帯域の各帯域について、前記周波数帯域組合せ中の他の帯域と組み合わせて使用されるとき、前記帯域によってサポートされる前記デバイス能力の前記１つまたは複数の組合せのうちの１つの指示を含む、
能力メッセージをアセンブルすることを行うように動作可能であり、
前記送信モジュールが、前記能力メッセージをネットワークノード（１２０）に送るように動作可能である、
無線デバイス（１１０）。
【請求項３０】
デバイス能力をシグナリングすることが可能なネットワークノード（１２０）であって、前記ネットワークノードが、受信モジュール（１４５４）と、決定モジュール（１４５０）とを備え、
前記受信モジュールは、無線デバイス（１１０）から、能力メッセージを受信することであって、前記能力メッセージが、
前記無線デバイスによってサポートされる１つまたは複数の周波数帯域組合せと、
前記１つまたは複数の周波数帯域組合せの１つまたは複数の帯域上で前記無線デバイスによってサポートされる前記デバイス能力の１つまたは複数の組合せと
を含み、
前記１つまたは複数の周波数帯域組合せの各々について、前記能力メッセージが、前記周波数帯域組合せによってサポートされる１つまたは複数のデバイス能力の第１の指示を含み、前記周波数帯域組合せによってサポートされる前記１つまたは複数のデバイス能力の前記第１の指示が、複数の周波数帯域の各帯域について、前記周波数帯域組合せ中の他の帯域と組み合わせて使用されるとき、前記帯域によってサポートされる前記デバイス能力の前記１つまたは複数の組合せのうちの１つの指示を含む、
能力メッセージを受信することを行うように動作可能であり、
前記決定モジュールが、前記能力メッセージに基づいて前記無線デバイスのための設定を決定するように動作可能である、
ネットワークノード（１２０）。
【発明の詳細な説明】
【技術分野】
【０００１】
特定の実施形態は、無線通信を対象とし、より詳細には、帯域組合せ（ｂａｎｄ−ｃｏｍｂｉｎａｔｉｏｎ）およびベースバンド能力についてのユーザ機器（ＵＥ）能力情報をネットワークにシグナリングすることを対象とする。
【背景技術】
【０００２】
序論
第３世代パートナーシッププロジェクト（３ＧＰＰ）第５世代（５Ｇ）は、（しばしばＮＲと呼ばれる）新しい無線インターフェースを含む。本明細書では、５ＧおよびＮＲという用語は互換的に使用され得、その用語が具体的にＮＲ無線インターフェースを指すのかどうか、または、その用語がより広い５Ｇアーキテクチャ概念を指すのかどうかは、コンテキストから明らかになろう。
【０００３】
（ハンドセット、デバイス、移動局などとも呼ばれる）ユーザ機器（ＵＥ）と（インフラストラクチャにおける基地局または制御ノードなどの）ネットワークとの間の１つの対話は、ＵＥ能力に関係するメッセージ交換である。シグナリングの目的は、ＵＥが、ＵＥがサポートする特徴および特徴組合せについてネットワークに通知することである。ネットワークは、ＵＥの能力内で、機能、または機能の組合せを実施するようにＵＥを設定するために、その情報を使用し得る。
【０００４】
ネットワークがＵＥ能力および限定について知るほど、ネットワークは、考えられる最良の性能をユーザに与えるために特定のＵＥの性能をより良く使用し得る。したがって、ＵＥは、しばしば、セッションまたは接続の最初にＵＥの能力をネットワークに報告し、ネットワークは、次いで、セッションまたは接続の有効期間中にＵＥが何を行うことができるかを知る。しばしば、ネットワーク要求が、ＵＥからの能力報告をトリガする。一例が図１に示されている。
【０００５】
図１は、ユーザ機器（ＵＥ）が能力情報をネットワークにシグナリングすることの一例を示すシーケンス図である。ネットワークノード２０がＵＥＣａｐａｂｉｌｉｔｙＥｎｑｕｉｒｙメッセージをＵＥ１０に送り、ＵＥ１０はＵＥＣａｐａｂｉｌｉｔｙＩｎｆｏｒｍａｔｉｏｎメッセージで応答する。そのプロシージャは、必要な場合、接続有効期間中にも使用され得る。ＵＥＣａｐａｂｉｌｉｔｙＩｎｆｏｒｍａｔｉｏｎメッセージを受信するネットワーク側は、ｌｏｎｇ  ｔｅｒｍ  ｅｖｏｌｕｔｉｏｎ（ＬＴＥ）におけるｅＮＢ、ＮＲにおけるｇＮＢ、または、コアネットワークノードなど、インフラストラクチャにおける別のノードなど、無線基地局であり得る。
【０００６】
（拡張ＵＭＴＳ地上無線アクセスネットワーク（ＥＵＴＲＡＮ）としても知られる）ＬＴＥは、ＵＥ能力の転送を含む。しかしながら、ＬＴＥにおいてＵＥ能力を転送することは、かなり複雑になった。ＬＴＥ仕様において提供されるソリューションは、ＵＥが特定の帯域および帯域組合せ上でサポートすることができる特徴の組合せに関する詳細な情報をＵＥが報告する原理に基づくので、ＬＴＥソリューションは大きいメッセージを生じる。
【０００７】
ネットワークにおいて、ＵＥの正確な能力に関する詳細な情報を有することは、一方では良いが、汎用性のあるＬＴＥソリューションにより、極めて大きいメッセージが生じた。特定のソリューションは、ＵＥが何を実施することが可能であるかを解明するためにネットワークにおいて情報の大きいセットまたはテーブルを維持する必要をも生じる。
【０００８】
ＵＥ能力ソリューションの目標は、ＵＥ能力の包括的な／完全なセットを指定することであり、ＵＥ能力の包括的な／完全なセットに基づいて、ｅＮＢが、特定のＵＥによってサポートされる特徴を明確に決定することができる。テスタビリティも３ＧＰＰシステムの重要な強みである。ＵＥベンダーが少なくとも２つのネットワークを用いて特徴をテストすることに成功した後にのみその特徴のサポートを示す確立された慣習は、安定したシステムにつながり、このようにして続けられるべきである。
【０００９】
能力転送および後続の設定の別のパラダイムは、ネットワークが、示された能力に従ってＵＥを設定することである。ネットワークが、ＵＥがサポートを示さなかった設定を適用することを試みる場合、ＵＥは、その設定を拒否し得る（および拒否する可能性がある）。一方、ＵＥを設定するために使用されるＲＲＣＣｏｎｎｅｃｔｉｏｎＲｅｃｏｎｆｉｇｕｒａｔｉｏｎメッセージがＵＥ能力に準拠する場合、ＵＥはその設定を拒否しないものとする。
【００１０】
能力をネットワークに送信した後に、ＵＥの能力は、将来の使用のためにネットワークに記憶され得る。１つのソリューションでは、能力は、ＵＥがアイドルに入った場合、すなわち、セッションまたは接続が終端された後に、ＭＭＥ（モビリティ管理エンティティ）など、コアネットワークにも記憶される。Ｅ−ＵＴＲＡでは、ｅＮＢは、ＭＭＥから接続ＵＥのための能力をフェッチすることを試みる。ＭＭＥがＵＥのための能力を記憶しなかった場合、ｅＮＢは、ＵＥからＵＥのための能力をフェッチする。これは、（たいていの／多くの）接続確立中に無線インターフェース上でのシグナリングを低減するが、これは、いずれにせよ、無線アクセスネットワーク（ＲＡＮ）およびコアネットワーク（ＣＮ）における多くの記憶域および送信を必要とする。ノードが将来の使用のためにＵＥ能力を記憶することが可能である限り、そのノードは、ＭＭＥとは異なるノードであり得る。
【００１１】
上記で説明されたように、ＬＴＥ  ＵＥ能力ソリューションの問題のうちの１つは、対応するベースバンド能力とともに帯域および帯域組合せのサポートについての明示的シグナリングから起こる。本明細書では、ベースバンド能力という用語は、帯域またはキャリア周波数に直接関係しないか、または必ずしも関係しないいくつかのＵＥ能力を指し得る。そのような能力は、たとえば、概してＭＩＭＯまたはＭＩＭＯアンテナと呼ばれる複数のアンテナを使用して複数のレイヤを処理することをＵＥがサポートするかどうかの情報を含む。ＵＥの場合、ＵＥは、たとえば、４つのレイヤと比べて８つのレイヤを、または２つのレイヤと比べて４つのレイヤをサポートするために、より多くの処理を必要とする。この処理は、必ずしも、キャリア周波数ｆ１またはｆ２が使用中であるかどうかに依存するとは限らない。
【００１２】
同様の特徴は、たとえば、ＮＡＩＣＳ（ネットワーク支援干渉除去および抑制（Ｎｅｔｗｏｒｋ−Ａｓｓｉｓｔｅｄ  Ｉｎｔｅｒｆｅｒｅｎｃｅ  Ｃａｎｃｅｌｌａｔｉｏｎ  ａｎｄ  Ｓｕｐｐｒｅｓｓｉｏｎ））を含み、ＮＡＩＣＳはまた、特定のユーザ機器を対象とする信号に対する他の送信信号からの干渉を低減するために、著しい処理パワー（ｐｒｏｃｅｓｓｉｎｇ  ｐｏｗｅｒ）を必要とする特徴である。また、ＮＡＩＣＳは、受信する（および送信する）ためにＵＥが現在使用しているキャリア周波数から少なくとも部分的に独立している。ＣＳＩ（チャネル状態情報）は、ＵＥが、ネットワークによって送られた様々な参照シンボルまたは信号に基づいてダウンリンクチャネルの性質および品質を測定および推定している別の処理集約的特徴である。ＣＳＩの目的は、ネットワークが、たとえば、最も効率的なやり方でリソースをスケジュールする（たとえば、周波数リソースを含むリソース、アンテナコンスタレーション、変調およびコーディングを割り当てる）ことができるように、チャネル状態情報をネットワークにフィードバックすることである。
【００１３】
帯域またはキャリア周波数から少なくとも部分的に独立していることがある他のパラメータは、ＵＥがアップリンクまたはダウンリンクにおいてサポートする、総帯域幅、または帯域内のキャリア周波数の数である。ＵＥがシグナリングする別の特徴は、ＵＥがいくつかのダウンリンクキャリア周波数と組み合わせてどんな１つまたは複数のアップリンクキャリア周波数をサポートするのかである。
【００１４】
これらの例は、範囲を限定するものと見なされるべきではないが、以下で説明される実施形態は、以下でさらに説明されるように、一般的なやり方で規定され得る追加のベースバンド能力に適用され得る。
【００１５】
ＬＴＥ問題に戻ると、ＵＥは、ＵＥがどんな帯域および帯域組合せをサポートすることができるかの明示的シグナリングを提供する。ただし、各そのような帯域および帯域組合せ内で、ＵＥは、ＵＥがその特定の組合せについてどんな追加の特徴をサポートすることができるかをさらにシグナリングする。たとえば、ＵＥが、一例として、キャリアアグリゲーションを使用してダウンリンクにおいてキャリアｆ１、ｆ２、およびｆ３上での同時受信が可能である場合、ＵＥは、ＵＥがｆ１＋ｆ２＋ｆ３のその特定の組合せを用いてどんなＭＩＭＯ、ＮＡＩＣＳおよび１つまたは複数のアップリンクキャリア周波数をサポートすることができるかをさらにシグナリングする。ただし、すべての３つのキャリア上での受信をサポートするＵＥは、たとえば、ｆ１＋ｆ２、ｆ１＋ｆ３、ｆ２＋ｆ３の組合せ、および個々にキャリアの各々上での受信をもサポートする。「ベースバンド能力」は必ずしもすべての組合せについて同じであるとは限らないので、ＵＥは、ＵＥが各組合せについてどんなベースバンド特徴（ＭＩＭＯ、ＮＡＩＣＳなど）をサポートするかを明示的にシグナリングし得る。時々、アップリンク（ＵＬ）サポートは組合せについて異なり、これは、能力のまた別の複製（ｄｕｐｌｉｃａｔｉｏｎ）を生じる。
【００１６】
１つの帯域が多くのキャリアを含み得る（すなわち、数、中心周波数、または識別情報ｆ１を用いて識別される帯域上で、帯域が、キャリアと呼ばれることがある、帯域の追加の部分にさらにスプリットされ得る）ことに留意されたい。たとえば、帯域は１００ＭＨｚを備え得、１００ＭＨｚは２０ＭＨｚの５つのキャリアに再分割される。ＵＥは、１つまたは複数のそのようなキャリアを受信し得る。ＵＥが複数のそのようなキャリア上で受信または送信する場合、ＵＥは、しばしば、キャリアアグリゲーションを使用して動作すると言われる。
【００１７】
組合せの（ｃｏｍｂｉｎａｔｏｒｙ）問題点は、大きく複雑なＵＥ能力情報メッセージがＵＥからネットワークに送られることを生じ、ＮＲのためのより良いソリューションを有する必要がある。
【００１８】
ＵＥが異なる帯域および帯域組合せについて異なるベースバンド能力を報告する必要があり得る１つの理由は、たとえば、ＭＩＭＯの処理能力が、ＵＥが現在いくつの帯域を使用しているかに依存することである。たとえば、ＵＥは、ＵＥが帯域ｆ１上で１つのキャリアを使用するときには８×８ＭＩＭＯをサポートし得るが、ＵＥがｆ１とｆ２の両方上でキャリアを使用するときには４×４ＭＩＭＯのみをサポートし得、ＵＥがｆ１、ｆ２、およびｆ３を使用する場合にはさらに小さいＭＩＭＯをサポートし得る。さらに、ＵＥは、キャリア上にＮＡＩＣＳがなければ８×８ＭＩＭＯをサポートし得るが、ＮＡＩＣＳが使用される場合には４×４ＭＩＭＯのみをサポートし得る。したがって、組合せを効率的にシグナリングすることは、大きな課題である。
【００１９】
ＬＴＥにおけるシグナリングメッセージの構造について説明する以下のセクションは、ここでは参照のために含まれる。ＬＴＥでは、ＵＥは、ｓｕｐｐｏｒｔｅｄＢａｎｄＣｏｍｂｉｎａｔｉｏｎ情報エレメント（ＩＥ）中ですべてのサポートされる帯域組合せを明示的にリストする。各ＢａｎｄＣｏｍｂｉｎａｔｉｏｎＰａｒａｍｅｔｅｒｓエントリは、１つのサポートされる帯域組合せのプロパティを指定する。帯域組合せごとの能力があるが、（ＢａｎｄＰａｒａｍｅｔｅｒｓ内に）帯域組合せの帯域ごとの、およびさらにはアップリンク（ＣＡ−ＭＩＭＯ−ＰａｒａｍｅｔｅｒｓＵＬ）とダウンリンク（ＣＡ−ＭＩＭＯ−ＰａｒａｍｅｔｅｒｓＤＬ）との間で分離された追加の能力もある。
2020536450.tif 000003
【００２０】
ＣＡ帯域組合せシグナリングの早期の実装形態の場合、帯域組合せごとに能力の一部分のみが利用可能であった。ＵＥは、概して、たとえば、２つの帯域とそれらの帯域の各々中の１つまたは数個のキャリアとをカバーする１つの帯域組合せを提供する。帯域Ｘ中の２つのキャリアと、さらに帯域Ｙ中の２つのキャリアとをサポートするＵＥは、２つの帯域の各々中の１つのキャリアをもサポートする。別の仮定は、ＵＥがダウンリンクキャリアと同数のアップリンクキャリアをサポートすることであった。
【００２１】
実際には、ＵＥは、ダウンリンクキャリアよりもはるかに少ないアップリンクキャリアをサポートし、これは、アップリンクキャリアが一方の帯域または他方の帯域中のいずれかにあり得るように帯域組合せを増倍することを必要とする。ＵＥは、異なるアップリンクキャリア設定と組み合わせたダウンリンクキャリアアグリゲーション設定を提供するために、帯域組合せエントリを複製する。
【００２２】
さらに、ＵＥは、より少数のキャリアが設定されたとき、より多くのＭＩＭＯレイヤをサポートすることが可能である。これはまた、帯域組合せのより多くの複製を作成する。ＮＡＩＣＳプロセスおよびＣＳＩプロセスについての同様の処理限定は、さらにより多くの帯域組合せリストを生じる。ＵＥは、ＭＩＭＯ、ＣＳＩプロセス、ＮＡＩＣＳなど、異なる他の能力と組み合わせたキャリアアグリゲーション設定を提供するために、帯域組合せエントリを複製する。
【００２３】
連続的に増加する帯域組合せテーブルを送信し、記憶することの問題を解決するために、特定のソリューションは、帯域組合せテーブルのサイズを低減することを試みる。詳細には、ネットワークは、（ａ）選択された帯域のみのための帯域組合せ、（ｂ）キャリアのある最大数までの帯域組合せのみ、または（ｃ）「フォールバック」組合せの排除（すなわち、明示的にシグナリングされたＣＡよりも少数のキャリアをもつＣＡ組合せを省略すること）を要求し得る。
【００２４】
ｅＮＢが２つの前者のオプションのうちの１つを使用するとき、ネットワークは、必ずしも全ＵＥ能力を受信するとは限らない。提供された能力は現在のサービングセル中での動作のために十分であり得るが、別のセルは、異なる帯域において動作するかまたはより多くのキャリアをサポートし得る。そのセル中で適切にＵＥをサーブすることが可能であるために、ネットワークは、適宜に調整される制限をもつＵＥ能力を再要求しなければならない。
【００２５】
多くの異なる帯域を（場合によっては異なる場所中で）サポートするネットワークは、ＵＥ能力の追加のサブセットを要求しなければならないことがあり、そのネットワークは、それらの後続の部分ＵＥ能力を組み合わせ、記憶するべきである。多くのキャリアをサポートするネットワークは、キャリアのある数までのみＵＥ能力を要求する可能性から恩恵を受けない。
【００２６】
いわゆるフォールバック組合せを排除する可能性は、シグナリングされた能力のサイズを著しく低減するポテンシャルを有する。しかしながら、上記で説明されたように、ＵＥが、たとえば、より少数のキャリアを設定されたときにより多くのＭＩＭＯレイヤ、より多くのＣＳＩプロセスまたはより高い程度のＮＡＩＣＳをサポートすることは、一般的である。しかし、ＵＥがそれらの「フォールバック」組合せを省略する場合、ネットワークは、ＵＥの追加の処理能力に気づいていない。したがって、ＵＥは、利用可能な「より良い」フォールバック組合せをＵＥが有することを示し、ネットワークも、利用可能な「より良い」フォールバック組合せを最終的に要求し、記憶する。
【００２７】
「フォールバック帯域組合せを排除する」機構の効率性は、たいていのＵＥが、たとえば、より少数のキャリアを設定されたときにより多くのＭＩＭＯレイヤ、より多くのＣＳＩプロセスまたはより高い程度のＮＡＩＣＳをサポートするという事実により損なわれる。
【００２８】
ＵＥ能力とＬＴＥから知られている問題とを改善するための別の提案されるソリューションは、ベースバンド能力を、帯域ごとの能力および帯域組合せごとの能力から分離することを含む。しかしながら、完全な分離は、ネットワークにおける、ＵＥが何を実施することが可能であるかのあまり正確でない知識を生じ得る。
【００２９】
帯域組合せが別々にシグナリングされ、ベースバンド能力が帯域組合せから独立してシグナリングされる場合、ＵＥが保守的な能力メッセージを提供しなければならないリスクがある。保守性は、ＵＥが、たとえば、ＵＥが帯域組合せ上で４×４ＭＩＭＯのみをサポートすることができることを示し得るが、ＵＥが実際はいくつかの帯域組合せについて８×８などのより良いＭＩＭＯをサポートすることができることを意味する。
【００３０】
無線周波数をベースバンド能力から分離するための１つの既存の提案は、以下のように概説される。多数の帯域組合せ固有パラメータのために、ＵＥは、たいていの帯域組合せのための複製エントリを含む。これは、帯域組合せの全体的な数を増加させるだけでなく、フォールバック組合せを排除する可能性をも限定する。特定の目標は、ＵＥが帯域ごとの組合せ能力の特徴を広告することができるグラニュラリティを限定することなしに、その帯域ごとの組合せ能力の数を最小化することである。ＭＩＭＯ、ＮＡＩＣＳおよびＣＳＩ−ＲＳプロセス関係能力についての特定の示唆が含まれる。
【００３１】
ＵＥがサポートすることができるＭＩＭＯレイヤの数は、アンテナおよび受信機チェーン（ＲＦ）の数ならびにＵＥの処理パワーの両方に依存する。ＲＦ（アンテナ）限定を反映するために、ＵＥは、たとえば、ＵＥがいくつのＭＩＭＯレイヤをサポートするかを（帯域組合せではなく）各帯域について示し得る。たとえば、帯域Ａ：最高２つのレイヤ、帯域Ｂ：最高２つのレイヤ、帯域Ｃ：最高４つのレイヤ、帯域Ｄ：最高４つのレイヤ。加えて、ただし帯域ごとのＭＩＭＯ能力とは別々に、ＵＥは、ＵＥの全体的なＭＩＭＯ処理能力、ＭＩＭＯ処理パワー能力［レイヤ×キャリア］：６を示し得る。
【００３２】
上記で例示された能力をもつＵＥには、たとえば、（ａ）２レイヤＭＩＭＯを実行する３つのキャリア、（ｂ）１つが２レイヤＭＩＭＯを伴い、（帯域ＣまたはＤにおける）１つが４レイヤＭＩＭＯを伴う２つのキャリア、または（ｃ）４レイヤＭＩＭＯを実行する（帯域ＣまたはＤにおける）１つのキャリアのいずれかが設定され得る。ＲＦおよび処理能力のそのような明瞭な分離は、帯域組合せシグナリング構造からＭＩＭＯ能力を削除することを可能にする。したがって、ＵＥは、各帯域について独立してＵＥのＭＩＭＯ−ＲＦ能力を示し、すべての帯域について利用可能なＵＥの累積処理ＭＩＭＯ能力を示す。
【００３３】
サポートされるＣＳＩプロセスの数ならびにＮＡＩＣＳサポートは、ＵＥの処理能力に依存し、アンテナの数に依存しない。したがって、ＣＳＩプロセスの数は、ＵＥごとに単一の処理能力として表され得る。代替的に、ＵＥ実装形態が、ＭＩＭＯ処理について説明されるように、処理能力を無線フロントエンドに結び付けることが予想される場合、ＵＥはまた、帯域のセットごとにＣＳＩ処理能力を伝達し得る。サポートされるＣＳＩプロセスの数およびＮＡＩＣＳサポートは、ＵＥの処理能力に依存し、たとえば、利用可能なアンテナの数に依存しない。
【００３４】
しかしながら、ＵＥ実装形態は、一般に、ＭＩＭＯ、ＣＳＩ測定およびＮＡＩＣＳなどの機能にわたって同じ処理リソースを共有する。したがって、ＵＥは、より少数のＭＩＭＯレイヤのために設定された場合、より多くのＣＳＩプロセスを伴って動作することが可能であり得、その逆も同様である。したがって、帯域組合せから分離されたＵＥごとのベースバンド能力（たとえばＦＤ−ＭＩＭＯ能力、ＣＳＩプロセスの数など）は、帯域組合せごとのシグナリングを最小化するのを助け得る。
【００３５】
特定のソリューションは、（帯域の少なくともすべてのサポートされる組合せと帯域ごとのキャリアの数とをリストする）帯域組合せ（ＢＣ）テーブルを使用し得る。帯域組合せ（ＢＣ）テーブルに加えて、第２のテーブルが、ベースバンド処理能力（ＢＰＣ）のサポートされる組合せをリストする。第２のテーブル中のエントリは、それらのエントリがそれとともに使用され得るキャリアの数を示し得る。（ＢＣテーブルに従って）帯域組合せおよびキャリアの数を選択すると、ネットワークは、キャリアの選定された数のために利用可能であるすべてのエントリをＢＰＣテーブルから抽出し得る。ＢＰＣテーブルの抽出されたエントリに基づいて、ネットワークは、ＵＥがサポートするベースバンド特徴を選定し、それに応じてＵＥを設定し得る。
【００３６】
しかしながら、ＵＥベンダーは、別個のテーブル（ＢＣおよびベースバンド能力）が、ＵＥベンダーに、すべてのそれらの帯域上ですべての特徴をサポートすることを強制するという問題を経験し得る（すなわち、ベースバンド能力テーブルが「２つのキャリア：４０ＭＨｚ  ＮＡＩＣＳ」についてのエントリを有する場合、ＵＥは、それらが２つのキャリアをもつ帯域組合せを広告するすべての帯域上で４０ＭＨｚ  ＮＡＩＣＳをサポートしなければならない）。
【００３７】
別の問題は、ＵＥにおける処理パワーが常にアクションのために利用可能であるとは限らないことである。処理の一部は、いくつかの無線チェーンに関連し得る。いくつかの帯域組合せにおいて１つのそのような無線チェーンが数個のキャリアをサーブする場合、１つのそのような無線チェーンは、そこでＭＩＭＯまたはＮＡＩＣＳを実施するのに十分なパワーを有しないことがある。別の無線チェーンに未使用の処理パワーが残っているということは、この場合、役立たない。
【発明の概要】
【００３８】
上記で説明されたように、帯域組合せからのベースバンド能力の完全な分離は、準最適な性能を生じる。ユーザ機器（ＵＥ）の全性能は、帯域のセット上の設定されたキャリアのセットについてＵＥが扱うことができる最良の設定に関する知識をネットワークが十分に有しないので、利用することができない。
【００３９】
ＵＥは、しばしば、特に異なる帯域について、および特に帯域が無線スペクトルにおいて遠く離れている場合、（たとえば、無線チェーン、またはベースバンド処理ユニットとも呼ばれる）複数の無線フロントエンドを使用して実装される。時々、特に、異なる帯域が、無線周波数においてまたはその技術が実装されるやり方において実質的に異なる場合、異なる帯域の無線インターフェースを終端するために異なるモデムが使用され得る。無線フロントエンドは、ｌｏｎｇ  ｔｅｒｍ  ｅｖｏｌｕｔｉｏｎ（ＬＴＥ）および第５世代（５Ｇ）新しい無線（ＮＲ）など、異なる規格を実装することさえある。特定の実施形態は、異なる無線技術を使用する異なる帯域または帯域グループを可能にする。
【００４０】
したがって、ＵＥは、ベースバンド処理のために複数のリソースを使用し得る。しかしながら、一例では、帯域ｆ１およびｆ２を処理するためのリソースは、帯域ｆ３またはｆ４のために必ずしも利用可能であるとは限らない。ＵＥは、帯域ｆ１およびｆ２上のキャリアの任意の組合せ上ではネットワーク支援干渉除去および抑制（ＮＡＩＣＳ）と８×８多入力多出力（ＭＩＭＯ）とを使用し得るが、ＵＥは、帯域ｆ３およびｆ４上では４×４ＭＩＭＯのみをサポートし得、それらの帯域上ではＮＡＩＣＳをサポートしないことがある。
【００４１】
帯域組合せからベースバンド能力を切り離す前の手法を使用すると、ＵＥは、４×４ＭＩＭＯ能力のみを報告し、ＮＡＩＣＳ能力を報告せず、ネットワークは、ＵＥが実際は帯域ｆ１およびｆ２のキャリア上でおよびｆ１とｆ２との組合せ上で８×８ＭＩＭＯとＮＡＩＣＳとをサポートすることができることを通知されない。
【００４２】
したがって、特定の実施形態は、ＬＴＥからの知られている欠如を克服するが、ＵＥが効率的な様式でＵＥの最良の能力を報告する可能性を提供する、ＵＥ能力をシグナリングするための適切な構造およびソリューションを提供する。
【００４３】
特定の実施形態によれば、ネットワーク（たとえば、無線基地局）は、ＵＥに、そのＵＥ能力をネットワークに送るように要求する。ＵＥは、ＵＥ能力を含んでいるメッセージでネットワークに応答する。ネットワークは、メッセージを受信し、分析し、受信された能力に従ってリソースを設定し、ＵＥに割り当てる。したがって、ネットワークは、設定情報をＵＥに送る。ＵＥは、設定情報を受信し、受信された設定メッセージに従って設定情報を使用する。
【００４４】
ＵＥは、以下のように能力情報を構造化する。ＵＥは、ＵＥがサポートする帯域のセットをグループ化する情報を構築し得る。ＵＥはまた、ベースバンド能力のセットを各々が識別するテーブルのセットを送り得る。代替的に、ＵＥは、ベースバンド機能性を実行するためにＵＥが要する処理負担を表す、処理パワーに関するコストを送り得る。
【００４５】
ＵＥはまた、帯域と帯域グループとをベースバンド能力のテーブルにひも付ける情報を含む。したがって、ＵＥ能力情報メッセージは、ベースバンド能力の異なるセットをサポートするキャリアのグループを識別し得る。
【００４６】
この方法によって、ＵＥが、リーンな（ｌｅａｎ）やり方で、適切な性能のために、ＵＥの最良の能力をネットワークに報告することができるシグナリング構造を可能にすることができる。
【００４７】
上記で説明された例では、ＵＥは、ｆ１およびｆ２をグループ１にグループ化し、ｆ３およびｆ４をグループ２にグループ化し、ベースバンド能力テーブル１を、８×８ＭＩＭＯおよびＮＡＩＣＳサポートにセットし、ベースバンド能力テーブル２を、４×４ＭＩＭＯおよびＮＡＩＣＳ非サポートにセットし得、１つまたは複数の能力メッセージは、上記で示されたグループに関する情報と、ベースバンド能力テーブルと、グループ１が、テーブル１において提供される情報の能力があり、グループ２が、テーブル２において提供される情報の能力があることを告げる情報とを提供する。
【００４８】
特定の実施形態は、本構造を使用するＬＴＥにおいて見られる組合せの問題を緩和する。特定の実施形態は、帯域組合せが増加する場合でもスケーリングすることが可能であり、これは、知られているソリューションの場合には当てはまらない。
【００４９】
特定の実施形態は、前記ベースバンド能力テーブルのセットを提供し、前記ベースバンド能力テーブルのセットを、数個の帯域組合せ内からまたは帯域組合せ内の数個のグループから参照／使用する。したがって、ＬＴＥ能力シグナリングと比較して、この構造は、ベースバンド能力を帯域組合せ（ＢＣ）に直接含めることを回避し、それにより、この構造は、すべての帯域組合せを複製することを回避する。また、ＮＲについて同意されたベースラインソリューションと比較して、この構造は、ＵＥが、ＵＥのすべてのサポートされるキャリアおよび帯域にわたってすべてのベースバンド特徴（およびそれらの組合せ）をサポートすることを必要とするとは限らない。
【００５０】
上記で説明されたように、多くの追加のベースバンド能力があり、ＵＥが、ＵＥのすべての能力を示すためにかなりの数のグループを確立する必要があり得ることを認識されたい。
【００５１】
ソリューションは、ＵＥが、たとえば、帯域、たとえばｆ２が数個のグループ中に存在する複数のグループを報告し得ることを除外しない。たとえば、構造は、グループが、帯域の１つのエントリ（ｆ２）、または複数のエントリ（ｆ２およびｆ３）を含んでいることを可能にし、ここにおいて、ｆ２は単独で１つのベースバンド能力に関連し得、ｆ２はｆ３とともに別のテーブルに関連し得る。
【００５２】
特定の実施形態は、利用可能な帯域および帯域組合せまたは帯域組合せグループのリストをシグナリングすることと、ベースバンド能力のセット、またはコストクレジット（ｃｒｅｄｉｔ）の形態で特定のベースバンド特徴（たとえば、ＭＩＭＯ、ＮＡＩＣＳなど）を実施するためのＵＥにおけるコストをシグナリングすることと、帯域グループごとに、ベースバンド能力のセットのうちの１つへのインデックス、またはグループ内のコストをシグナリングすることとによって、ＵＥからネットワークに、たとえば、帯域２のための能力と比較して帯域１のための別個のベースバンド能力を含むメッセージを提供し得る。シグナリングに基づいて、ネットワークは、帯域組合せごとに、その帯域組合せ内の帯域のどのグループのためにどんな特定のベースバンド能力が利用可能であるかを知る。
【００５３】
これは、組合せごとに明示的ベースバンド能力を必要とすることなしに達成される。コストソリューションが使用される場合、ネットワークは、帯域または帯域グループのためのＵＥの最大クレジットが消耗されるまで、特徴を割り当て、設定することができる。
【００５４】
いくつかの実施形態によれば、無線通信ネットワークの無線デバイスにおいて使用するためのデバイス能力をシグナリングする方法は、無線デバイスによってサポートされる１つまたは複数の周波数帯域組合せをコンパイルすることを含む。各周波数帯域組合せは、無線デバイスが無線信号の送信または受信のために一緒に使用することができる複数の周波数帯域を含む。本方法は、無線デバイスによってサポートされるデバイス能力のセットをコンパイルすることと、能力メッセージをアセンブルすることとをさらに含む。能力メッセージは、無線デバイスによってサポートされる１つまたは複数の周波数帯域組合せと、無線デバイスによってサポートされるデバイス能力の１つまたは複数の組合せとを含む。１つまたは複数の周波数帯域組合せの各々について、能力メッセージは、周波数帯域組合せによってサポートされる１つまたは複数のデバイス能力の第１の指示を含む。周波数帯域組合せによってサポートされる１つまたは複数のデバイス能力の第１の指示は、複数の周波数帯域の各帯域について、周波数帯域組合せ中の他の帯域と組み合わせて使用されるとき、帯域によってサポートされるデバイス能力の１つまたは複数の組合せのうちの１つの指示を含む。本方法は、能力メッセージをネットワークノードに送ることをさらに含む。いくつかの実施形態では、本方法は、ネットワークノードからデバイス設定を受信することを含む。デバイス設定は、１つまたは複数の周波数帯域組合せのうちの１つに応じた設定を含む。
【００５５】
いくつかの実施形態によれば、無線デバイスが、デバイス能力をシグナリングすることが可能である。無線デバイスは、無線デバイスによってサポートされる１つまたは複数の周波数帯域組合せをコンパイルするように動作可能な処理回路要素を含む。各周波数帯域組合せは、無線デバイスが無線信号の送信または受信のために一緒に使用することができる複数の周波数帯域を含む。処理回路要素は、無線デバイスによってサポートされるデバイス能力のセットをコンパイルし、能力メッセージをアセンブルするようにさらに動作可能である。能力メッセージは、無線デバイスによってサポートされる１つまたは複数の周波数帯域組合せと、無線デバイスによってサポートされるデバイス能力の１つまたは複数の組合せとを含む。１つまたは複数の周波数帯域組合せの各々について、能力メッセージは、周波数帯域組合せによってサポートされる１つまたは複数のデバイス能力の第１の指示を含む。周波数帯域組合せによってサポートされる１つまたは複数のデバイス能力の第１の指示は、複数の周波数帯域の各帯域について、周波数帯域組合せ中の他の帯域と組み合わせて使用されるとき、帯域によってサポートされるデバイス能力の１つまたは複数の組合せのうちの１つの指示を含む。処理回路要素は、能力メッセージをネットワークノードに送るようにさらに動作可能である。いくつかの実施形態では、処理回路要素は、ネットワークノードからデバイス設定を受信するようにさらに動作可能である。デバイス設定は、１つまたは複数の周波数帯域組合せのうちの１つに応じた設定を含む。
【００５６】
特定の実施形態では、複数の周波数帯域の各帯域について、周波数帯域組合せ中の他の帯域と組み合わせて使用されるとき、帯域によってサポートされるデバイス能力の１つまたは複数の組合せのうちの１つの指示は、アップリンクデバイス能力の指示とダウンリンク能力の指示とを含む。
【００５７】
特定の実施形態では、１つまたは複数の周波数帯域組合せの各々について、能力メッセージは、周波数帯域組合せによってサポートされる１つまたは複数のデバイス能力の第２の指示を含む。周波数帯域組合せによってサポートされる１つまたは複数のデバイス能力の第２の指示は、複数の周波数帯域の各帯域について、周波数帯域組合せ中の他の帯域と組み合わせて使用されるとき、帯域によってサポートされるデバイス能力の１つまたは複数の組合せのうちの１つの指示を含む。
【００５８】
特定の実施形態では、デバイス能力の１つまたは複数の組合せの各々がインデックスに関連付けられ、帯域によってサポートされるデバイス能力の１つまたは複数の組合せのうちの１つの指示は、デバイス能力の１つまたは複数の組合せのうちの１つのインデックスを含む。デバイス能力は、帯域のための帯域幅、ＮＡＩＣＳのサポート、サポートされるＭＩＭＯレイヤの数、帯域中でサポートされるキャリアの数、アップリンクについての帯域中でサポートされるキャリアの数、およびダウンリンクについての帯域中でサポートされるキャリアの数のうちの少なくとも１つを含む。
【００５９】
特定の実施形態では、デバイス能力のセットは、各デバイス能力に関連するコストを含む。コストは、能力を実施するために必要とされるデバイス処理パワーの量を表す。
【００６０】
いくつかの実施形態によれば、無線通信ネットワークのネットワークノードにおいて使用するためのデバイス能力をシグナリングする方法は、無線デバイスから、能力メッセージを受信することを含む。能力メッセージは、無線デバイスによってサポートされる１つまたは複数の周波数帯域組合せと、無線デバイスによってサポートされるデバイス能力の１つまたは複数の組合せとを含む。１つまたは複数の周波数帯域組合せの各々について、能力メッセージは、周波数帯域組合せによってサポートされる１つまたは複数のデバイス能力の第１の指示を含む。周波数帯域組合せによってサポートされる１つまたは複数のデバイス能力の第１の指示は、複数の周波数帯域の各帯域について、周波数帯域組合せ中の他の帯域と組み合わせて使用されるとき、帯域によってサポートされるデバイス能力の１つまたは複数の組合せのうちの１つの指示を含む。本方法は、能力メッセージに基づいて無線デバイスのための設定を決定することをさらに含む。本方法は、決定された設定を無線デバイスに送ることを含み得る。
【００６１】
いくつかの実施形態によれば、ネットワークノードが、デバイス能力をシグナリングすることが可能である。本ネットワークノードは、無線デバイスから、能力メッセージを受信するように動作可能な処理回路要素を含む。能力メッセージは、無線デバイスによってサポートされる１つまたは複数の周波数帯域組合せと、無線デバイスによってサポートされるデバイス能力の１つまたは複数の組合せとを含む。１つまたは複数の周波数帯域組合せの各々について、能力メッセージは、周波数帯域組合せによってサポートされる１つまたは複数のデバイス能力の第１の指示を含む。周波数帯域組合せによってサポートされる１つまたは複数のデバイス能力の第１の指示は、複数の周波数帯域の各帯域について、周波数帯域組合せ中の他の帯域と組み合わせて使用されるとき、帯域によってサポートされるデバイス能力の１つまたは複数の組合せのうちの１つの指示を含む。処理回路要素は、能力メッセージに基づいて無線デバイスのための設定を決定するようにさらに動作可能である。処理回路要素は、決定された設定を無線デバイスに送るようにさらに動作可能であり得る。
【００６２】
特定の実施形態では、複数の周波数帯域の各帯域について、周波数帯域組合せ中の他の帯域と組み合わせて使用されるとき、帯域によってサポートされるデバイス能力の１つまたは複数の組合せのうちの１つの指示は、アップリンクデバイス能力の指示とダウンリンク能力の指示とを含む。
【００６３】
特定の実施形態では、１つまたは複数の周波数帯域組合せの各々について、能力メッセージは、周波数帯域組合せによってサポートされる１つまたは複数のデバイス能力の第２の指示を含む。周波数帯域組合せによってサポートされる１つまたは複数のデバイス能力の第２の指示は、複数の周波数帯域の各帯域について、周波数帯域組合せ中の他の帯域と組み合わせて使用されるとき、帯域によってサポートされるデバイス能力の１つまたは複数の組合せのうちの１つの指示を含む。
【００６４】
特定の実施形態では、デバイス能力の１つまたは複数の組合せの各々がインデックスに関連付けられ、帯域によってサポートされるデバイス能力の１つまたは複数の組合せのうちの１つの指示は、デバイス能力の１つまたは複数の組合せのうちの１つのインデックスを含む。デバイス能力は、帯域のための帯域幅、ＮＡＩＣＳのサポート、サポートされるＭＩＭＯレイヤの数、帯域中でサポートされるキャリアの数、アップリンクについての帯域中でサポートされるキャリアの数、およびダウンリンクについての帯域中でサポートされるキャリアの数のうちの少なくとも１つを含み得る。
【００６５】
特定の実施形態では、デバイス能力のセットは、各デバイス能力に関連するコストを含む。コストは、能力を実施するために必要とされるデバイス処理パワーの量を表す。
【００６６】
いくつかの実施形態によれば、無線デバイスが、デバイス能力をシグナリングすることが可能である。無線デバイスは、取得モジュールと、アセンブルモジュールと、送信モジュールとを含む。取得モジュールは、無線デバイスによってサポートされる１つまたは複数の周波数帯域組合せを取得し、決定し、および／またはコンパイルするように動作可能である。各周波数帯域組合せは、無線デバイスが無線信号の送信または受信のために一緒に使用することができる複数の周波数帯域を含む。取得モジュールは、無線デバイスによってサポートされるデバイス能力のセットを取得し、決定し、および／またはコンパイルするようにさらに動作可能である。アセンブルモジュールは、能力メッセージをアセンブルするように動作可能である。能力メッセージは、無線デバイスによってサポートされる１つまたは複数の周波数帯域組合せと、無線デバイスによってサポートされるデバイス能力の１つまたは複数の組合せとを含む。１つまたは複数の周波数帯域組合せの各々について、能力メッセージは、周波数帯域組合せによってサポートされる１つまたは複数のデバイス能力の第１の指示を含む。周波数帯域組合せによってサポートされる１つまたは複数のデバイス能力の第１の指示は、複数の周波数帯域の各帯域について、周波数帯域組合せ中の他の帯域と組み合わせて使用されるとき、帯域によってサポートされるデバイス能力の１つまたは複数の組合せのうちの１つの指示を含む。送信モジュールは、能力メッセージをネットワークノードに送るように動作可能である。
【００６７】
いくつかの実施形態によれば、ネットワークノードが、デバイス能力をシグナリングすることが可能である。本ネットワークノードは、受信モジュールと、決定モジュールとを含む。受信モジュールは、無線デバイスから、能力メッセージを受信するように動作可能である。能力メッセージは、無線デバイスによってサポートされる１つまたは複数の周波数帯域組合せと、無線デバイスによってサポートされるデバイス能力の１つまたは複数の組合せとを含む。１つまたは複数の周波数帯域組合せの各々について、能力メッセージは、周波数帯域組合せによってサポートされる１つまたは複数のデバイス能力の第１の指示を含む。周波数帯域組合せによってサポートされる１つまたは複数のデバイス能力の第１の指示は、複数の周波数帯域の各帯域について、周波数帯域組合せ中の他の帯域と組み合わせて使用されるとき、帯域によってサポートされるデバイス能力の１つまたは複数の組合せのうちの１つの指示を含む。決定モジュールは、能力メッセージに基づいて無線デバイスのための設定を決定するように動作可能である。
【００６８】
また、コンピュータ可読プログラムコードを記憶する非一時的コンピュータ可読媒体を含むコンピュータプログラム製品であって、コンピュータ可読プログラムコードが、処理回路要素によって実行されたとき、上記で説明された無線デバイスまたはネットワークノードによって実施される方法のいずれかを実施するように動作可能である、コンピュータプログラム製品が開示される。
【００６９】
実施形態ならびにそれらの特徴および利点のより完全な理解のために、次に、添付の図面とともに、以下の説明が参照される。
【図面の簡単な説明】
【００７０】
【図１】ユーザ機器（ＵＥ）が能力情報をネットワークにシグナリングすることの一例を示すシーケンス図である。
【図２】特定の実施形態による、例示的な無線ネットワークを示すブロック図である。
【図３】複数の無線周波数（ＲＦ）グループおよび無線チェーンをもつＵＥの一例を示すブロック図である。
【図４】特定の実施形態による、無線デバイスにおける例示的な方法を示す流れ図である。
【図５】特定の実施形態による、ネットワークノードにおける例示的な方法を示す流れ図である。
【図６Ａ】無線デバイスの例示的な実施形態を示すブロック図である。
【図６Ｂ】無線デバイスの例示的な構成要素を示すブロック図である。
【図７Ａ】ネットワークノードの例示的な実施形態を示すブロック図である。
【図７Ｂ】ネットワークノードの例示的な構成要素を示すブロック図である。
【発明を実施するための形態】
【００７１】
第３世代パートナーシッププロジェクト（３ＧＰＰ）ｌｏｎｇ  ｔｅｒｍ  ｅｖｏｌｕｔｉｏｎ（ＬＴＥ）または第５世代（５Ｇ）新しい無線（ＮＲ）など、無線通信ネットワークでは、ユーザ機器（ＵＥ）がＵＥの能力をネットワークノードにシグナリングし得る。ネットワークノードは、ＵＥを設定するために能力情報を使用し得る。既存のソリューションに関する問題は、能力情報が大きすぎ、したがってシグナリングするのに非効率的であるか、または、能力情報がＵＥの能力を適切に表さないことである。
【００７２】
特定の実施形態は、上記で説明された問題をなくし、ＵＥ能力の効率的で正確なシグナリングを含む。概して、ＵＥは、利用可能な帯域および帯域組合せまたは帯域組合せグループのリストを、ｅＮＢまたはｇＮＢなど、ネットワークノードにシグナリングし得る。ＵＥは、ベースバンド能力のセット、またはコストクレジットの形態で特定のベースバンド特徴（たとえば、ＭＩＭＯ、ＮＡＩＣＳなど）を実施するためのＵＥにおけるコストをもシグナリングし得る。ＵＥは、帯域グループごとに、ベースバンド能力のセットのうちの１つへのインデックス、またはグループ内のコストをシグナリングする。シグナリングされた情報に基づいて、ネットワークは、帯域組合せごとに、その帯域組合せ内の帯域のどのグループのためにどんな特定のベースバンド能力が利用可能であるかを知る。
【００７３】
「一実施形態（ｏｎｅ  ｅｍｂｏｄｉｍｅｎｔ）」、「一実施形態（ａｎ  ｅｍｂｏｄｉｍｅｎｔ）」、「例示的な実施形態」などへの本明細書における言及は、説明される実施形態が、特定の特徴、構造、または特性を含み得ることを示すが、あらゆる実施形態が、必ずしも、特定の特徴、構造、または特性を含むとは限らないことがある。その上、そのような句は必ずしも同じ実施形態を指しているとは限らない。さらに、特定の特徴、構造、または特性が実施形態に関して説明されるとき、明示的に説明されるか否かにかかわらず、他の実施形態に関してそのような特徴、構造、または特性を実装することは当業者の知識内にあることが具申される。
【００７４】
特定の実施形態が、図面の図２〜図７Ｂを参照しながら説明され、同様の数字が、様々な図面の同様の部分および対応する部分のために使用されている。例示的なセルラーシステムとして本開示全体にわたってＬＴＥおよび５Ｇ新しい無線（ＮＲ）が使用されるが、本明細書で提示される発想は、同様に他の無線通信システムに適用され得る。
【００７５】
図２は、特定の実施形態による、例示的な無線ネットワークを示すブロック図である。無線ネットワーク１００は、（モバイルフォン、スマートフォン、ラップトップコンピュータ、タブレットコンピュータ、ＭＴＣデバイス、または無線通信を与えることができる任意の他のデバイスなどの）１つまたは複数の無線デバイス１１０と、（基地局またはｅノードＢなどの）複数のネットワークノード１２０とを含む。無線デバイス１１０はＵＥと呼ばれることもある。ネットワークノード１２０は、（セル１１５とも呼ばれる）カバレッジエリア１１５をサーブする。
【００７６】
概して、ネットワークノード１２０のカバレッジ内（たとえば、ネットワークノード１２０によってサーブされるセル１１５内）にある無線デバイス１１０は、無線信号１３０を送信および受信することによって、ネットワークノード１２０と通信する。たとえば、無線デバイス１１０およびネットワークノード１２０は、ボイストラフィック、データトラフィック、および／または制御信号を含んでいる無線信号１３０を通信し得る。ボイストラフィック、データトラフィック、および／または制御信号を無線デバイス１１０に通信するネットワークノード１２０は、無線デバイス１１０のためのサービングネットワークノード１２０と呼ばれることがある。無線デバイス１１０とネットワークノード１２０との間の通信は、セルラー通信と呼ばれることがある。無線信号１３０は、（ネットワークノード１２０から無線デバイス１１０への）ダウンリンク送信と（無線デバイス１１０からネットワークノード１２０への）アップリンク送信の両方を含み得る。
【００７７】
各ネットワークノード１２０は、信号１３０を無線デバイス１１０に送信するための単一の送信機または複数の送信機を有し得る。いくつかの実施形態では、ネットワークノード１２０は、多入力多出力（ＭＩＭＯ）システムを備え得る。無線信号１３０は、１つまたは複数のビームを備え得る。特定のビームは、特定の方向においてビームフォーミングされ得る。各無線デバイス１１０は、ネットワークノード１２０または他の無線デバイス１１０から信号１３０を受信するための単一の受信機または複数の受信機を有し得る。無線デバイス１１０は、無線信号１３０を備える１つまたは複数のビームを受信し得る。
【００７８】
無線信号１３０は、時間周波数リソース上で送信され得る。時間周波数リソースは、無線フレーム、サブフレーム、スロット、および／またはミニスロットに区分され得る。ネットワークノード１２０は、アップリンク、ダウンリンク、またはアップリンクとダウンリンクとの組合せとしてサブフレーム／スロット／ミニスロットを動的にスケジュールし得る。異なる無線信号１３０は異なる送信処理時間を備え得る。
【００７９】
ネットワークノード１２０は、ＬＴＥスペクトルなど、ライセンス済み周波数スペクトルにおいて動作し得る。ネットワークノード１２０はまた、５ＧＨｚ  Ｗｉ−Ｆｉスペクトルなど、未ライセンス周波数スペクトルにおいて動作し得る。未ライセンス周波数スペクトルにおいて、ネットワークノード１２０は、ＩＥＥＥ８０２．１１アクセスポイントおよび端末など、他のデバイスと共存し得る。未ライセンススペクトルを共有するために、ネットワークノード１２０は、無線信号１３０を送信または受信する前にＬＢＴプロトコルを実施し得る。無線デバイス１１０も、ライセンス済みスペクトルまたは未ライセンススペクトルの一方または両方において動作し得、同じく、いくつかの実施形態では、無線信号１３０を送信する前にＬＢＴプロトコルを実施し得る。ネットワークノード１２０と無線デバイス１１０の両方が、同じくライセンス済み共有スペクトルにおいて動作し得る。
【００８０】
たとえば、ネットワークノード１２０ａはライセンス済みスペクトルにおいて動作し得、ネットワークノード１２０ｂは未ライセンススペクトルにおいて動作し得る。無線デバイス１１０は、ライセンス済みスペクトルと未ライセンススペクトルの両方において動作し得る。特定の実施形態では、ネットワークノード１２０ａおよび１２０ｂは、ライセンス済みスペクトル、未ライセンススペクトル、ライセンス済み共有スペクトル、または任意の組合せにおいて動作するように設定可能であり得る。セルのカバレッジエリア１１５ｂはセルのカバレッジエリア１１５ａ中に含まれるように示されているが、特定の実施形態では、セルのカバレッジエリア１１５ａとセルのカバレッジエリア１１５ｂとは、部分的に重複し得るか、またはまったく重複しないことがある。
【００８１】
特定の実施形態では、無線デバイス１１０とネットワークノード１２０とは、キャリアアグリゲーションを実施し得る。たとえば、ネットワークノード１２０ａはＰＣｅｌｌとして無線デバイス１１０をサーブし得、ネットワークノード１２０ｂはＳＣｅｌｌとして無線デバイス１１０をサーブし得る。ネットワークノード１２０は、自己スケジューリングまたはクロススケジューリングを実施し得る。ネットワークノード１２０ａがライセンス済みスペクトルにおいて動作し、ネットワークノード１２０ｂが未ライセンススペクトルにおいて動作している場合、ネットワークノード１２０ａは、ライセンス支援型アクセスを未ライセンススペクトルに提供し得る（すなわち、ネットワークノード１２０ａはＬＡＡ  ＰＣｅｌｌであり、ネットワークノード１２０ｂはＬＡＡ  ＳＣｅｌｌである）。
【００８２】
特定の実施形態では、無線デバイス１１０は、無線デバイス１１０がどんな能力または能力の組合せ（たとえば、ＭＩＭＯ、ＣＡなど）をサポートするかをネットワークノード１２０にシグナリングし得る。たとえば、無線デバイス１１０は、無線デバイス１１０によってサポートされる１つまたは複数の周波数帯域組合せ（たとえば、ｆ１＋ｆ２、ｆ３＋ｆ４、ｆ１＋ｆ２＋ｆ３＋ｆ４）をコンパイルし得る。各周波数帯域組合せは、無線デバイス１１０が無線信号の送信または受信のために一緒に使用することができる複数の周波数帯域を備える。本明細書では、送信または受信は、送信、受信、または送信と受信の両方を指す。
【００８３】
無線デバイス１１０は、無線デバイスによってサポートされるデバイス能力（たとえば、ＮＡＩＣＳ、ＭＩＭＯなど）のセットをコンパイルし、能力メッセージをアセンブルし得る。能力メッセージは、無線デバイス１１０によってサポートされる１つまたは複数の周波数帯域組合せと、無線デバイス１１０によってサポートされるデバイス能力の１つまたは複数の組合せとを含む。１つまたは複数の周波数帯域組合せの各々について、能力メッセージは、周波数帯域組合せによってサポートされる１つまたは複数のデバイス能力の第１の指示を含む。周波数帯域組合せによってサポートされる１つまたは複数のデバイス能力の第１の指示は、複数の周波数帯域の各帯域について、周波数帯域組合せ中の他の帯域と組み合わせて使用されるとき、帯域によってサポートされるデバイス能力の１つまたは複数の組合せのうちの１つの指示を備える。無線デバイス１１０は、能力メッセージをネットワークノード１２０に送り得る。
【００８４】
ネットワークノード１２０は、無線デバイス１１０から、能力メッセージを受信し得る。ネットワークノード１２０は、能力メッセージに基づいて無線デバイス１１０のための設定を決定し得る。ネットワークノード１２０は、決定された設定を無線デバイス１１０に送り得る。さらなる詳細が、以下で、および図２〜図４に関して説明される。
【００８５】
無線ネットワーク１００では、各ネットワークノード１２０は、ｌｏｎｇ  ｔｅｒｍ  ｅｖｏｌｕｔｉｏｎ（ＬＴＥ）、ＬＴＥアドバンスト、ＵＭＴＳ、ＨＳＰＡ、ＧＳＭ、ｃｄｍａ２０００、ＮＲ、ＷｉＭａｘ、ＷｉＦｉ、および／または他の好適な無線アクセス技術など、任意の好適な無線アクセス技術を使用し得る。無線ネットワーク１００は、１つまたは複数の無線アクセス技術の任意の好適な組合せを含み得る。例として、様々な実施形態は、いくつかの無線アクセス技術のコンテキスト内で説明され得る。しかしながら、本開示の範囲は、それらの例に限定されず、他の実施形態は、異なる無線アクセス技術を使用することができる。
【００８６】
上記で説明されたように、無線ネットワークの実施形態は、１つまたは複数の無線デバイスと、無線デバイスと通信することが可能な１つまたは複数の異なるタイプの無線ネットワークノードとを含み得る。無線ネットワークは、無線デバイス間の通信、または無線デバイスと（固定電話などの）別の通信デバイスとの間の通信をサポートするのに好適な任意の追加のエレメントをも含み得る。無線デバイスは、ハードウェアおよび／またはソフトウェアの任意の好適な組合せを含み得る。たとえば、特定の実施形態では、無線デバイス１１０など、無線デバイスは、以下で図６Ａに関して説明される構成要素を含み得る。同様に、ネットワークノードは、ハードウェアおよび／またはソフトウェアの任意の好適な組合せを含み得る。たとえば、特定の実施形態では、ネットワークノード１２０など、ネットワークノードは、以下で図７Ａに関して説明される構成要素を含み得る。
【００８７】
ＮＲのために使用されるベースラインシグナリングは、ＭＩＭＯ、ＣｏＭＰ（ＣＳＩ）およびＮＡＩＣＳ処理がキャリアおよび帯域アグノスティック（ａｇｎｏｓｔｉｃ）であると仮定する。言い換えれば、ＮＲのために使用されるベースラインシグナリングは、ＵＥの処理パワーが、帯域組合せに従って設定され得るキャリアのいずれかに適用され得ると仮定する。
【００８８】
しかしながら、処理が無線フロントエンドにひも付けられる場合、単一のＭＩＭＯ処理値が十分でないことがある。この場合、能力は、帯域の数個のセットのための「ＭＩＭＯ処理パワー」能力（たとえば、ＭＩＭＯ処理パワー能力［レイヤ×キャリア］：帯域［Ａ、Ｂ］：４つのレイヤ×キャリア、帯域［Ｃ、Ｄ］：４つのレイヤ×キャリア）を示し得る。
【００８９】
能力は、帯域ＡおよびＢ上のキャリアが１つのＲＦ（プロセッサ）によってサーブされ、帯域ＣおよびＤ上のキャリアが別のＲＦ（プロセッサ）によってサーブされるＵＥ実装形態を反映し得る。ネットワークが帯域ＣおよびＤ上の２つのキャリアをＵＥに設定する場合、ＵＥは、各々について、せいぜい２レイヤＭＩＭＯを使用することができる。ネットワークが帯域Ａ上の１つのキャリアおよび帯域Ｃ上の１つのキャリアを設定する場合、ネットワークは、（帯域Ａに対するＲＦ制限のために）帯域Ａについて２レイヤＭＩＭＯを設定し、帯域Ｃについて４レイヤＭＩＭＯを設定し得る。
【００９０】
すべての帯域のために利用可能な累積処理能力を広告するＵＥがあまりに制限的である場合、ＵＥは、（１つまたは複数の）帯域のセットのための累積ＭＩＭＯ処理能力を示し得る。しかしながら、ＲＦ１＝［Ａ、Ｂ、Ｃ］：［４レイヤ］、ＲＦ２＝［Ｃ、Ｄ］：［４レイヤ］など、ＲＦが（部分的に）重複する帯域をサポートする場合に対して考慮がなされなければならない。
【００９１】
ネットワークは、帯域Ｃ上の１つのキャリアおよび帯域Ｄ上の１つをＵＥに設定するとき、ＵＥが、利用可能な処理能力を最大化するＲＦを選ぶと仮定し得る。ＵＥが、利用可能な処理能力を最大化するＲＦを選ぶ場合、ネットワークは、帯域Ｃ上に４つのレイヤ、およびさらに、帯域Ｄ上に４つのレイヤを設定し得る。
【００９２】
ネットワークが帯域Ｃ上に２つのキャリアおよび帯域Ｄ上に１つのキャリアを設定する場合、ネットワークは、帯域Ｃ上のキャリアのうちの一方については４つのレイヤを設定するが、帯域Ｃ上の他方のキャリアについては２つのレイヤのみを設定し、帯域Ｄ上のキャリアについては２つのレイヤを設定し得る。疑問は、帯域Ｃ上の２つのキャリアのうちのどちらが４レイヤＭＩＭＯを設定し得るかである。１つのオプションは、ＲＦ２が、帯域Ｄ上のキャリアに（周波数領域中で）より近い帯域Ｃ上のキャリアをサーブし得ることである。別の疑問は、ＵＥがまた、２つのレイヤをもつ帯域Ｃ上の両方のキャリアが各々ＲＦ１によってサーブされ、帯域Ｄ上のキャリアがＲＦ２によって４つのレイヤを伴って動作される設定をサポートするかどうかである。１つのオプションは、ＵＥが、帯域Ｃの２つのキャリアが連続している場合は帯域Ｃの２つのキャリアをサーブするために（ＲＦ１の）共通のキャリアを使用するが、帯域Ｃの２つのキャリアが連続していないときは別個のＲＦを使用するとネットワークが仮定することである。
【００９３】
ＬＴＥ帯域組合せ能力シグナリングは、キャリアに直接言及しないが、むしろ、帯域のみに言及する。加えて、それは、ＢａｎｄｗｉｔｈＣｏｍｂｉｎａｔｉｏｎｓ、すなわち、それがこの帯域においてサーブし得る隣接キャリアの数を広告する。
【００９４】
しかしながら、特定の帯域内隣接帯域組合せ（たとえば、クラスＣ（＝２つのキャリア））について、ＬＴＥ無線デバイスは、ＬＴＥ無線デバイスが一方上の２つのＭＩＭＯレイヤと他方のキャリア上の４つのＭＩＭＯレイヤとをサポートすることを示すことができない。さらに、ＬＴＥ無線デバイスは、ＬＴＥ無線デバイスが２つのキャリアのうちのどちらの上でどんな機能性をサポートするかを広告することができない。したがって、いくつかの実施形態は、ＮＲ能力シグナリングをＬＴＥシグナリングよりもさらにフレキシブルおよび一般的にすることを目的としない。特定の実施形態は、能力構造のサイズおよび複雑さを低減することに焦点を当てる。
【００９５】
以下は、ＵＥが（キャリア、帯域およびＲＦから完全に独立した）ＵＥの全体的な処理限度を示し、加えて、帯域組合せにおける帯域ごとの限度を示し得る一例を示す。
【００９６】
上記の説明から、１つの帯域が２つのＲＦによってカバーされ得る場合、ネットワークは帯域をキャリアにマッピングすることができないので、どのＲＦによってどんな帯域がカバーされるかを示すＲＦ構造は十分でないように見える。１つのオプションは、仕様が、キャリア／異なるタスクを異なるＲＦに割り当てることに関する特定のＵＥ実装形態を示すことであり得る。別のオプションは、ネットワークがワーストケースを仮定することである。一例が図３に示されている。
【００９７】
図３は、複数の無線周波数（ＲＦ）グループおよび無線チェーンをもつＵＥの一例を示すブロック図である。ＵＥは、グループとチェーンとを備えるＬＴＥ  ＲＦ構造を含む。ＵＥは３つのＲＦチェーンを有する。チェーン１．２は帯域Ｂ３およびＢ４をサービスすることができ、チェーン１．１はＢ１、Ｂ２、およびＢ３をサービスすることができる。Ｂ３はチェーン１．２またはチェーン１．１のいずれかを用いてサービスされ得ることに留意されたい。チェーン２．１は、帯域Ｂ５および／またはＢ７からの任意のキャリア周波数をサービスする。
【００９８】
上記の序論で説明されたＮＲソリューションは、ＵＥが、帯域組合せに従って設定され得るキャリアのいずれかの上で（テーブル中でまたは式によってのいずれかで）広告されたベースバンド特徴をサポートすることができると仮定する。
【００９９】
しかしながら、プロセッサが特定の無線フロントエンドにひも付けられる場合、そのプロセッサによってサポートされるベースバンド能力は、他の帯域にとって利用可能でないことがある。この限定に対処するために、１つのソリューションは、ベースバンド能力をスプリットし、帯域のどのセットにどの能力制限が適用されるかを帯域組合せテーブル中で示すことである。そのソリューションは、以下で例示されるように、テーブルベースのベースバンド能力シグナリングと式ベースのベースバンド能力シグナリングの両方について実現され得る。
【０１００】
上記で説明されたように、ベースバンド能力テーブルは、ネットワークが、キャリアの設定された数（および場合によっては帯域幅）に応じてベースバンド特徴の好適なセットを選ぶことを可能にする。ベースバンド特徴のそのようなセットが帯域組合せの帯域／キャリアのサブセットのためにのみ利用可能である場合、テーブルは、代わりに（または加えて）、帯域組合せ内の帯域のそのセットに関連付けられなければならない。
【０１０１】
以下の例は、ＵＥがトップレベル帯域組合せのみを含み、すべてのフォールバック帯域組合せを省略すると仮定する。帯域組合せの構造は、１つのダウンリンク帯域組合せについて複数のアップリンク帯域組合せを示すことを可能にする。アップリンク帯域組合せはトップレベル帯域組合せであるが、フォールバック帯域組合せは省略される。
2020536450.tif 000004
【０１０２】
上記の例からわかるように、ＵＥは、以下の情報をネットワークにシグナリングする。
・  ＵＥは２つの帯域組合せを広告し、ここにおいて、第１の帯域組合せがダウンリンク帯域［ＢａｎｄＸ、ＢａｎｄＹ、およびＢａｎｄＺ］を含んでおり、第２の帯域組合せがダウンリンク帯域［ＢａｎｄＫ、ＢａｎｄＬ］を含んでいる。
・  第１の帯域組合せに従ってダウンリンクキャリアが設定されたとき、ＵＥは、第１の帯域組合せ中の帯域のいずれかの上に１つのアップリンクキャリアを有することが可能である。
・  第２の帯域組合せに従ってダウンリンクキャリアが設定されたとき、ＵＥは、ＢａｎｄＫ上に１つのアップリンクキャリアを有することが可能である。
・  各帯域組合せ内で、ＵＥは帯域グループを規定する。第１の帯域組合せでは、第１の帯域グループがＢａｎｄＸを備え、第２の帯域グループがＢａｎｄＹとＢａｎｄＺとを備える。第２の帯域組合せでは、第１の帯域グループがＢａｎｄＫを備え、第２の帯域グループがＢａｎｄＬを備える。
・  ＵＥは、２つのベースバンド能力テーブルをさらに規定する。第１のテーブルはベースバンド能力の１つのセットを含む。第２のテーブルはベースバンド能力の３つのセットを含み、ここで、それらのセットは、ベースバンド能力の異なる組合せをさらに指定している。たとえば、セットのうちの２つは両方とも２０ＭＨｚの最大１つのキャリアに関係するが、ＵＥは、２レイヤＭＩＭＯとともにＮＡＩＣＳを扱うか、または代替的に、ＮＡＩＣＳを扱わないが４レイヤＭＩＭＯを扱うかのいずれかであり得る。
・  ＵＥは、次いで、帯域グループをベースバンド能力テーブルにひも付ける。
【０１０３】
シグナリングのこの特定のフォーマットは、特定の実施形態を実現する１つのやり方にすぎない。たとえば、テーブルを帯域グループに接続することは、情報に番号を付けるかまたは情報をインデックス付けする様々なやり方で行われ得る。たとえば、いくつかの実施形態は、帯域および／または帯域組合せにインデックスを割り振り、ベースバンド能力テーブルに別のインデックスを割り振る。それらのインデックスは、ビットマップまたは他のシグナリングとともにひも付けられ得る。
【０１０４】
特定の実施形態では、能力情報は明示的にシグナリングされるが、標準仕様は、様々な帯域および／または帯域グループについてＵＥが指すことができる様々な代替ベースバンド能力（すなわち、セットまたは「テーブル」能力）の十分に大きいセットを含む。これは、テーブル情報がエアインターフェース上で伝達されず、仕様におけるテーブルへのインデックスまたはポインタまたは参照だけが伝達されるので、シグナリングを低減する。
【０１０５】
特定の実施形態の説明は、たとえばベースバンド能力を表すように構成された情報を示すために「テーブル」という単語を使用する。情報は、厳密な意味でのテーブルによって表される必要がない。情報は、情報が適切なやり方でベースバンド能力のセットを表す限り、任意のフォーマットまたはシグナリング構造において構成され、シグナリングされ得る。そのようなテーブルは、無線リソース制御（ＲＲＣ）プロトコルなど、シグナリングプロトコルにおいてＡＳＮ．１メッセージ構造を使用して表され得る。ＮＲの場合、仕様は、３８．３３１で番号を付けられる。
【０１０６】
いくつかの実施形態は式を使用し得、ＵＥは、以下の例において説明されるようにキャリアのセットごとに処理能力およびコストを広告し得る。これらの実施形態では、ＵＥは、ある機能を実施するためにＵＥがいくつの処理「クレジット」を要するかをシグナリングする。たとえば、ＵＥは、帯域の特定のグループについての処理のために１０００個のクレジットを有し得る。ＵＥは、ＵＥの能力情報を通して、たとえば特定のグループ上で８×８ＭＩＭＯを実施するためにＵＥがいくつのクレジットを要するか（たとえば２５０個）、または４×４について１００個など、およびそのグループについてＵＥがいくつのＮＡＩＣＳクレジットを使用するかなどを通知する。
【０１０７】
ネットワークは、クレジット限度（１０００個）が消耗されない限り、キャリアのそのグループ上で機能を設定することができる。これは、能力をシグナリングするための、ならびに、ネットワークがキャリアおよびリソースのどんな組合せを帯域グループから割り当てるべきかを決めるためのフレキシブルな手法を可能にする。クレジット限度は、固定値であり、仕様においてセットされるか、または、ＵＥからネットワークに送られるＵＥ能力情報メッセージ中で明示的にシグナリングされ得る。
2020536450.tif 000005
2020536450.tif 000006
【０１０８】
上記の例では、ＵＥは、２つの帯域組合せ（１つがＢａｎｄＸとＢａｎｄＹとＢａｎｄＺとをもち、１つがＢａｎｄＷとＢａｎｄＸとをもつ）をシグナリングする。第１の帯域組合せでは、ＵＥは、ＵＥが帯域の各々においてサポートするキャリアの数が異なる２つの異なる帯域組合せ変形態を広告する。第２の帯域組合せでは、ＵＥは、１つの帯域組合せ変形態のみを広告する。
【０１０９】
各帯域組合せ変形態について、ＵＥは、ＮＷが設定し得る設定可能なアップリンク帯域／キャリアを示す。また、ＵＥは、前の例におけるような帯域グループを規定し得る。前の例とは異なり、ＵＥは、帯域グループについての処理限度（ｂａｎｄＧｒｏｕｐＰｒｏｃＬｉｍｉｔ）を提供する。
【０１１０】
本例では、第１の帯域組合せの第１の変形態は、同じベースバンド処理能力を共有するＢａｎｄＹおよびＢａｎｄＺの帯域グループを規定し、ＢａｎｄＸ処理のための処理能力は、ＢａｎｄＹおよびＢａｎｄＺのベースバンド能力から独立している。クレジットは、それぞれ、８００個および５００個である。ここで、クレジット限度がシグナリングされると仮定される。しかしながら、クレジットは固定値であることも可能であり、その場合、ベースバンド機能に関して相対的なコストが与えられる。最後のグループ［ＢａｎｄＷ、ＢａｎｄＸ］は別個のクレジットを有していないが、そのグループは２０００個のクレジットの合計クレジット（ｔｏｔａｌ  ｃｒｅｄｉｔ）（または限度）に依拠することもわかり得る。
【０１１１】
ＵＥは、たとえばプロセッサ上のＭＩＭＯを実施するためにいくつのクレジットが必要とされるかを示すコスト情報を提供し得る。これは、たとえば［送信ダイバーシティ、２×２、４×４、８×８．．．］についての値のシーケンスを搬送するメッセージとして実現され得る。その場合、たとえば８×８ＭＩＭＯを設定することは、たとえば４００個のクレジットのコストがかかり得、これは、限られた数の追加の機能のみが、たとえば５００個のクレジットを広告した帯域組合せ上で設定され得ることを意味する。
【０１１２】
別の実施形態では、帯域グループが、前に概説された実施形態の場合のように、帯域組合せにおいて直接規定され得る（すなわち、帯域グループが「帯域組合せ変形態」なしに使用され得る）ことに留意されたい。
【０１１３】
特定の実施形態は明示的にすべての帯域組合せをリストし得、ＵＥは（各ビットがテーブル中の１つの帯域組合せを表す）ビットマップによってＵＥのサポートされる帯域組合せを報告し得る。しかしながら、そのようなリストは長くなり得、したがって、ＵＥは、対応して長いビットマップをシグナリングしなければならない。特定の実施形態は、多くのキャリアのアグリゲーションをサポートするＵＥがフォールバック組合せをもサポートすると仮定する。（ＬＴＥ  Ｒｅｌ−１３においてすでに行われたように）フォールバック組合せが省略される場合、およびベースバンド／処理能力がＲＦ能力から分離される場合、ＣＡ帯域組合せＩＥにおける帯域数の明示的シグナリングは、ビットマップよりも効率的であり得る。
【０１１４】
フォールバック帯域組合せを省略するとき、およびＲＦを処理能力からスプリットするとき、シグナリングされる帯域組合せエントリの数は、規定された帯域組合せの総数と比較して小さくなる。したがって、（インデックスを参照する代わりに）帯域組合せＩＥにおいて明示的に帯域数をシグナリングすることは、より効率的であり得る。
【０１１５】
上記で詳述されたように、ＬＴＥ  ＵＥは、異なるアップリンクキャリア設定と組み合わせたダウンリンクキャリアアグリゲーション設定を提供するために、帯域組合せエントリを複製する。ＵＥは、トップレベル帯域組合せのみを広告し、これは、ＵＥが広告する帯域組合せを減少させる。さらに、特定の実施形態は、帯域組合せ全体を複製するのではなく、サポートされるアップリンク帯域組合せのリストを（トップレベル）ダウンリンク帯域組合せに含める。これは、帯域数および他のダウンリンク関係能力を複製することを回避する。
【０１１６】
ＵＥは、ダウンリンク帯域組合せ全体を複製する代わりに、単一のダウンリンク帯域組合せにおいて数個のアップリンク帯域組合せ（アップリンクＢａｎｄｗｉｄｔｈＣｌａｓｓｅｓの数個のリスト）を広告し得る。
【０１１７】
特定の実施形態は、測定ギャップについてシグナリングする能力を含む。ＬＴＥでは、ＵＥは、ＵＥがいくつかの帯域のキャリア上で測定を実施するためにギャップを必要とするかどうかを、帯域組合せエントリの一部として示す。言い換えれば、各ビットが測定されるべきターゲット帯域を識別する、各帯域組合せにおけるビットマップがある。ＬＴＥ  ＵＥがＬＴＥ  ＵＥの能力において伝達する多数の帯域組合せエントリを考慮すると、追加のビットマップによるオーバーヘッドは、著しい。
【０１１８】
将来の仕様が、（たとえば、明示的にトップレベル帯域組合せのみをリストすることによって）リストされる帯域組合せの数を低減するためのソリューションを規定する場合、ビットマップを含むことは、より許容可能になり得る。しかしながら、ＵＥは、ワーストケース設定（トップレベル帯域組合せ）を考慮に入れて、「ｎｅｅｄＦｏｒＧａｐｓ」を示す必要があり得る。それらの設定は、おそらく、キャリア間測定のためにギャップを必要とし、すなわち、それらの設定は、おそらく、それらの設定がギャップを必要とすることをすべての帯域について示す。
【０１１９】
したがって、特定の実施形態は、どのキャリア設定においてＵＥがギャップなしに測定を実施することが可能であるかをネットワークがそれに基づいて決定し得るルールのセットと、費用がかかる明示的シグナリングを置き換える可能性を含む。これが、ＵＥがギャップなしに測定を実施していることがあるにもかかわらずネットワークがギャップを設定する数個のオケージョンを生じる場合でも、これは、周波数間測定およびギャップが、一般に、ＵＥがサービングキャリアを離れるかまたは周波数間負荷分散をテストしようとしている場合のみ設定されることを考慮すると、許容可能であり得る。またあるときには、ＵＥはギャップなしに動作する。ＵＥに測定ギャップが設定されるときでも、これは、ネットワークがスケジュールすべき他のＵＥをも有する場合、および、第１のＵＥが測定ギャップを有する間にネットワークが別のＵＥをスケジュールすることができるように、ネットワークがギャップをオフセットすることができる場合、ＵＥのエンドツーエンド性能に影響を及ぼさない。
【０１２０】
以下は、ネットワークがそれに基づいてコストがかかるシグナリングなしにＵＥの「ｎｅｅｄＦｏｒＧａｐｓ」を決定し得るルールを規定するためのいくつかの観測および提案をリストする。「連続キャリア」のアグリゲーションの場合、たいていのＵＥは単一のＲＦを使用する。したがって、同じ帯域中の非サービングキャリア上での周波数間測定は、それらのキャリアがサービングセルとして設定されるかまたはさもなければギャップを必要とし得る場合、グリッチを引き起こす。ネットワークは、ＵＥが、その追加のキャリアが追加のサービングセルとして設定され得る場合でも、設定されたサービングセルと連続しているキャリアを測定するためにギャップを必要とすると仮定する。追加の、現在未使用のＲＦ（無線フロントエンド）によって実施される周波数間測定およびＲＡＴ間測定は、ギャップおよびグリッチなしに実施され得る。ＵＥは、別個のＲＦによって帯域間（および帯域内非隣接（Ｉｎｔｒａ−Ｂａｎｄ−Ｎｏｎ−Ｃｏｎｔｉｇｕｏｕｓ）？）キャリアアグリゲーションを実施する。
【０１２１】
これは、基本的に、ＵＥが、ＵＥがＳＣｅｌｌとして使用し得るキャリア上でギャップなし測定を実施するにすぎないことがあると仮定することに留意されたい。ＮＷは、ＵＥが、（ＵＥの現在の設定に加えて）追加のサービングセルとして設定され得る帯域間（または帯域内非隣接）キャリア上での測定のために測定ギャップまたはグリッチを必要としないと仮定する。
【０１２２】
ＬＴＥまたはＵＭＴＳネットワークは、無線リソース管理（ＲＲＭ）を実施し、システムとエンドユーザの両方の観点から性能（スループット、データレート、レイテンシ、エネルギー消費など）を最大化するやり方でＵＥを設定する。そうするために、ネットワークは、各ＵＥの能力に気づいている必要がある。
【０１２３】
ＬＴＥでは、ＵＥは、（デタッチ（ＤＥＴＡＣＨ）／アタッチ（ＡＴＴＡＣＨ）を通した遷移によらない限り）ＵＥの能力を変更することが可能でない。この原理は追加のシグナリングを回避するが、より重要なことに、この原理は、無線リソース管理（ＲＲＭ）が１つのエンティティのみによって、すなわち、ネットワークによって実施される設計選定に適する。
【０１２４】
このタスクを実施するために、ネットワークは、ネットワークの全体的なビューと、接続されたＵＥの全体的なビューと、それらの無線状態と、それらの能力とを維持する。ＵＥが（たとえば、いくつかの帯域のサポートを示すかまたは取り下げることによって）ＵＥの能力を調整することが可能であった場合、それは、ネットワークとＵＥとの間のネゴシエーションに変わり、これは、Ｕｕシグナリング負荷を増加させ、ネットワークによって始動されるＲＲＭアクションを打ち消し得る。
【０１２５】
ＵＥ能力の完全セットは静的であり得、すなわち、ＵＥは、デタッチ／アタッチ中を除いてＵＥの能力を変更しないことがある（これは、たとえばネットワーク要求（ｎｅｔｗｏｒｋ−ｒｅｑｕｅｓｔｅｄ）能力などの拡張を妨げるべきではない）。
【０１２６】
ＵＥは、いくつかの状況においてＵＥの「通常の」能力を遂行することができない。それらは過熱ＣＰＵなど、一時的問題であり得、それは、性能の一時的低下によってＵＥ中で内部的にある程度まで扱われ得る。しかし、それは、無線フロントエンドまたは他の構成要素を別の無線アクセス技術（ＲＡＴ）（たとえば、Ｗｉ−Ｆｉ）と共有したいという要望によるものでもあり得る。前者はおそらくまれなイベントであるが、後者は、しばしば現れ、場合によっては極めて動的に変化し得る。いくつかの実施形態は、ＵＥ能力から（一時的に）逸脱するための一般的な手段を含み得、特定の実施形態は、耐え難いシグナリングおよび処理負荷（頻繁な再設定）、不十分なＲＲＭ性能、ならびに不十分なネットワークキーパフォーマンスインジケータ（ＫＰＩ）を回避するための制限を含む。したがって、特定の実施形態は、タイマーによってＵＥ能力の変更を禁止し得る。たとえば、ＵＥは、ＵＥの能力をＵＥの全体的な能力のサブセットに格下げすることを可能にされ得る。後続のアップグレードは、タイマーによって禁止され得る。そのような手法は、ネットワーク側ＲＲＭとの不要な対話を回避し、ＬＴＥにおけるパワー選好インジケータ（Ｐｏｗｅｒ  Ｐｒｅｆｅｒｅｎｃｅ  Ｉｎｄｉｃａｔｏｒ）と同様の原理に従う。
【０１２７】
ＬＴＥでは、デバイス内共存（ＩＤＣ：Ｉｎ−Ｄｅｖｉｃｅ  Ｃｏｅｘｉｓｔｅｎｃｅ）の概念は、隣接するキャリア（たとえば、Ｗｉ−Ｆｉおよびバンド４０）からの干渉によって引き起こされる無線問題によるいくつかの限定および制限を示すために使用された。しかし、ＩＤＣの概念は、後で、ＬＴＥ−ＬＡＡとＷｉ−Ｆｉとが無線フロントエンドを共有しているときの問題を示すために使用されることをも可能にされた。そのような方式の代わりに、特定の実施形態は、そのような機能性を能力シグナリングフレームワークにマージし（たとえば、一時的に、ある帯域または帯域組合せが使用されないことがあることを示し）得る。これは、共有ＲＦ（５ＧＨｚにおけるＷｉ−ＦｉおよびＮＲ）について有用であり得るが、これは、（たとえば、バンド４０中の上位４０ＭＨｚのみが、隣接するＩＳＭ帯域中で動作するＷｉ−Ｆｉによって干渉されている場合）たとえば帯域中のキャリアのサブセットのみが現在使用不可能である場合にあまり適していないように見える。
【０１２８】
ＮＲは、たとえば、過負荷をかけられた／過熱されたＣＰＵ、または他のアクティブＲＡＴによる制約を考慮するための、ＵＥの能力の（一時的）制限をＵＥが示し得る手段をサポートする。特定の実施形態は、ユーザおよびネットワーク性能および安定性を損なわない。
【０１２９】
ベースラインとして、ＵＥは、ＵＥの、能力の全セットの（一時的）制限を示し得る。ＵＥは、ネットワークによって設定された禁止タイマーの満了後にのみこれらの制限付き能力のスーパーセットに戻り得る。ＵＥが制限し得る能力は、仕様において明示的に指定され得る。
【０１３０】
ＵＥは、ＵＥの能力の一時的制限をネットワークに示すための手段を有し得る。以下の考慮事項、すなわち、（ａ）ＮＲと他の技術、たとえばＷＬＡＮ、ＢＴ、ＧＰＳなどとの間のハードウェア共有、（ｂ）ＮＲと他の技術、たとえばＷＬＡＮ、ＢＴ、ＧＰＳなどとの間の干渉、（ｃ）例外的なＵＥ問題点（たとえば、過熱問題）、（ｄ）ＵＥ無線アクセス能力が静的であり、変更が、たとえばハードウェア共有、干渉または過熱によりいくつかの能力の利用可能性を一時的に（たとえば、ネットワーク制御の下で）限定することであること、（ｅ）一時的能力制限がＮＧコアに対して透過的であり得る、すなわち静的能力のみがＮＧコアに記憶されること、および（ｆ）ＵＥが一時的能力制限要求をｇＮＢにシグナリングすることが、ＮＲ能力設計において特定の実施形態に影響を及ぼし得る。
2020536450.tif 000007
【０１３１】
別個のＩＥが明示的にＬＴＥ／ＮＲ帯域組合せ（ＢＣ）を含んでいることは、ＵＥが、（行列がＬＴＥ帯域組合せとＮＲ帯域組合せとをリンクすることと比較して）より正確にＵＥの能力を反映することを可能にし得る。
【０１３２】
帯域組合せについて、インデックス付けは、２つの目的のために使用され得る。最初に、インデックスは、帯域組合せリンキングのために使用され得る。ＬＴＥ帯域とＮＲ帯域とを明示的に規定する能力シグナリングにおいて「ＥＮ−ＤＣ帯域組合せ」エレメントのリストを規定する代わりに、行列が、「ＬＴＥ帯域組合せ」を「ＮＲ帯域組合せ」とリンクし得る。行列を介してリンクするために、各ＬＴＥ−ＢＣと各ＮＲ−ＢＣとがインデックスに関連付けられる。
【０１３３】
第２の目的は、別のＤＣノードの現在の設定を抽出するためにインデックスを使用する。ＬＴＥ  ＤＣでは、両方のノードが、それ自体のセルグループについてどの（追加の）設定が可能であるかを決定するために他方のセルグループの設定を把握し得る。それ、ＬＴＥノードとＮＲノードとが互いの設定を把握すること、を回避するために、ＬＴＥノードとＮＲノードとは、他方のノードのために依然として利用可能である（または利用可能でない）帯域組合せ（および場合によっては他の能力組合せ）をリストし得る。これはまた、帯域組合せインデックスのリストによって行われ得る。
【０１３４】
第１のインデックス付け目的の欠点は、両方のノードが少なくとも（ＵＥが、そのＮＷ設定に適合するＬＴＥ＋ＮＲ  ＢＣをサポートするかどうかをＬＴＥ  ＭｅＮＢが決定することができるように）ＵＥがサポートする帯域組合せの周波数を把握することが可能であるべきであることである。加えて、どの帯域組合せが全体的な性能を最大化するかをノードが査定することができることが、有用であり得る。
【０１３５】
さらに、インデックスによってＬＴＥ−ＢＣをＮＲ−ＢＣにリンクすることは、追加の行列および／またはインデックス数のために、オーバーヘッドを増加させる。既存のＬＴＥ  ＢＣのいずれもＮＲ  ＢＣにリンク可能でない可能性もあり、すなわち、ＵＥは、おそらく、追加の（フォールバック）ＬＴＥ−ＢＣを含み、追加の（フォールバック）ＬＴＥ−ＢＣのみをＮＲ  ＢＣにリンクする。
【０１３６】
特定の行列の場合、ＵＥは、どのＬＴＥ帯域組合せがどのＮＲ帯域組合せと組み合わせて設定され得るかを示す。これは、ＵＥが、いずれにせよ単一無線アクセス技術（ＲＡＴ）動作についてＵＥの帯域組合せをリストするので、魅力的に見える。したがって、唯一のオーバーヘッドは行列である。しかしながら、ＬＴＥとＮＲとがＵＥにおいてＲＦまたはベースバンド構成要素を共有する場合、単一ＲＡＴ動作について適用可能な帯域組合せエントリは、おそらく、デュアルコネクティビティモードについて適用可能でない。これは、特に、ｉｎｔｅｒＦｒｅｑＮｅｅｄＦｏｒＧａｐｓについても適用され、これは、おそらく、ＵＥにＮＲキャリアがさらに設定される場合に影響を及ぼされる。したがって、ＵＥは、単に追加の「ＬＴＥフォールバック帯域組合せ」をＮＲ帯域組合せにリンクする目的で、追加の「ＬＴＥフォールバック帯域組合せ」を含み得、その逆も同様である。
【０１３７】
ＮＲとＬＴＥとの間でＲＦおよび／またはベースバンド構成要素を共有するＵＥは、追加の「ＬＴＥフォールバック帯域組合せ」をＮＲ帯域組合せにリンクする目的で、追加の「ＬＴＥフォールバック帯域組合せ」を含み得、その逆も同様である。さらに、行列によってＮＲ帯域組合せをＬＴＥ帯域組合せと接続することは、現在の能力シグナリング問題をＮＲに伝搬するリスクをもつ。特に、ＵＥが、すべての「ＮＲフォールバック帯域組合せ」を異なるＬＴＥ帯域組合せと組み合わせるために、明示的にすべての「ＮＲフォールバック帯域組合せ」をリストする可能性があり得る。ＬＴＥ帯域組合せとＮＲ帯域組合せとの行列は、ＵＥが明示的にすべてのＮＲ（およびＬＴＥ）フォールバック帯域組合せを広告するリスクをもつ。
【０１３８】
特定の実施形態は、ＬＴＥについても、新しく、よりリーンな能力シグナリングを含み得る。いくつかの実施形態では、専用ＩＥがＬＴＥ＋ＮＲ帯域組合せを含んでいることは、ＬＴＥについても、リーンな能力シグナリング（たとえば、トップレベル帯域組合せのみをリストすること、ベースバンドをＲＦ能力から分離すること、処理が重い（ｐｒｏｃｅｓｓｉｎｇ−ｈｅａｖｙ）特徴の依存性を明示するためのコスト関数など）を備える。専用ＩＥがＬＴＥ＋ＮＲ帯域組合せを含んでいることは、ＬＴＥにおいてもよりリーンな能力シグナリングを可能にし得る。
【０１３９】
さらに、ＲＡＴごとの能力（たとえば、ＵＥ−ＥＵＴＲＡ−Ｃａｐａｂｉｌｉｔｙ、ＵＥ−ＮＲ−Ｃａｐａｂｉｌｉｔｙ）は、そのＲＡＴがマスタであるときのみ適用可能または有意味である特徴（たとえば、ｉｎｔｅｒＲＡＴ−Ｐａｒａｍｅｔｅｒｓ、測位関係能力、ＣＳＧ、ＷＬＡＮインターワーキング、ＬＴＥ−ＤＣなど）を含んでいることがある。単一ＲＡＴモードにあるときのみＵＥがサポートし得るいくつかの特徴（たとえば、ＭＢＭＳ、サイドリンク、拡張されたカバレッジなど）。それらの能力パラメータが帯域組合せ中に含まれない場合、シグナリングは、それらの制約を示すために追加のフィールドを含み得る。フィールドが帯域組合せ中にある場合、これは、ＲＡＴにおける帯域組合せエントリの追加の複製につながり得る。したがって、ＬＴＥ／ＮＲデュアルコネクティビティのための能力行列手法は、最適でないことがある。
【０１４０】
特定の実施形態は、ＬＴＥがマスタであるとき、ＵＥ−ＥＵＴＲＡ−Ｃａｐａｂｉｌｉｔｙ  ＩＥ中にＬＴＥ／ＮＲデュアルコネクティビティのための能力を含め得る。特に、いくつかの実施形態は、ＬＴＥ帯域組合せエントリにＮＲ帯域を追加する。
【０１４１】
２つの仕様において能力フィールドおよびＩＥを指定することを回避するために、特定の実施形態は、３ＧＰＰ  ３８シリーズにおいてＮＲ関係能力を指定し、ＮＲ関係能力をＬＴＥ能力においてトランスペアレントコンテナとして使用する。
【０１４２】
Ｒｅｌ−１５についてのＵＥ−ＥＵＴＲＡ−Ｃａｐａｂｉｌｉｔｙは、ＥＵＴＲＡ−ＮＲ  ＤＣが設定されたときに適用可能なＵＥごとの能力を収集するＩＥを含んでいることがある。ＩＥは、ＬＴＥ固有パラメータ、および（主に）ＮＲ仕様からのＩＥとともにＯＣＴＥＴ  ＳＴＲＩＮＧを含んでいることがある。
2020536450.tif 000008
【０１４３】
Ｒｅｌ−１５についてのＵＥ−ＮＲ−Ｃａｐａｂｉｌｉｔｙは、ＥＵＴＲＡ−ＮＲ  ＤＣが設定されたときに適用可能なＮＲ能力を収集するＩＥを含んでいることがある。
2020536450.tif 000009
2020536450.tif 000010
【０１４４】
特定の実施形態は、スタンドアロンＮＲ動作を非スタンドアロンＮＲ動作と区別し得る。特定の実施形態では、ＵＥは、旧来のＥＵＴＲＡ  ＵＥ能力と、新しいＮＲ  ＵＥ能力構造と、その２つを組み合わせる「行列」とを含む。しかしながら、少なくとも初期ＵＥは、実際はＮＲスタンドアロン動作をサポートしない。少なくともその情報は、ＬＴＥネットワークが、それがＵＥをＮＲにハンドオーバするのかまたはそれをＤＣモードでのみ使用し得るのか否かを知るように、ＬＴＥ能力内のＲＡＴ間ＩＥ中で伝達される。
2020536450.tif 000011
【０１４５】
スタンドアロンモードでＮＲをサポートしないＵＥは、ｉｎｔｅｒＲＡＴ−Ｐａｒａｍｅｔｅｒｓ中で「ＮＲ」をリストしないことがある。しかしながら、リストはまた、ＵＥが（ＬＴＥ／ＮＲ  ＤＣがまだ設定されていない場合を含み）ＮＲ帯域を測定するためにギャップを必要とするかどうかを示すために、ｍｅａｓＰａｒａｍｅｔｅｒｓ内から参照される（ＩｎｔｅｒＲＡＴ−ＢａｎｄＬｉｓｔ→ＩｎｔｅｒＲＡＴ−ＢａｎｄＩｎｆｏ→ＩｎｔｅｒＲＡＴ−ＮｅｅｄＦｏｒＧａｐｓ）。したがって、（そのすべてのＮＲキャリア上で）スタンドアロンＮＲをサポートしないＵＥでさえ、ｉｎｔｅｒＲＡＴ−Ｐａｒａｍｅｔｅｒｓ中でＮＲ帯域をリストするべきである。ＵＥは、ＵＥ−ＥＵＴＲＡ−Ｃａｐａｂｉｌｉｔｙ→ｉｎｔｅｒＲＡＴ−Ｐａｒａｍｅｔｅｒｓ→ＩＲＡＴ−ＰａｒａｍｅｔｅｒｓＮＲ中で、ＵＥがどのＮＲ帯域をサポートするかと、ＵＥがスタンドアロンモードでＮＲをサポートするかどうかとを示す。
【０１４６】
特定の実施形態では、ＭｅＮＢがＳｇＮＢにｍａｘｉｍｕｍＣｏｎｆｉｇｕｒａｔｉｏｎを示し得る。ＬＴＥ  ＤＣでは、ＭｅＮＢとＳｇＮＢとは、ＵＥ能力とＵＥ設定とを把握する。両方のノードは、ＵＥ能力を超えない（ＭＣＧおよびＳＣＧ側の）設定を選び得る。競合状態（たとえば、ＳｇＮＢとＭｅＮＢとが「より大きい」設定を同時に選び、したがって、２つの新しい設定の組合せがＵＥ能力を超える）を回避するために、ＭｅＮＢは、組み合わせられた設定をＵＥにフォワーディングする前に、その組み合わせられた設定を検証するゲートキーパーである。
【０１４７】
ＬＴＥ／ＮＲインターワーキングでは、２つのノードは、他方のＲＡＴの能力または設定を把握することが可能でないことがある。上記で説明されたように、両方のＲＡＴの「特徴組合せセット」（たとえば、帯域組合せエントリ）が、番号を付けられ、行列またはリスト中で参照され得る。ネットワークノード（たとえば、ＭｅＮＢ）がＵＥのための新しい設定（たとえば、ＭＣＧ設定）を選ぶとき、ネットワークノードは、設定が適合する「特徴組合せセット」を決定する。上述の行列を使用して、ネットワークノードは、他方のＲＡＴ（ＳｇＮＢ）のために依然として利用可能である「特徴組合せセット」をも決定する。したがって、他方のノードは、他方のＲＡＴが決定した実際の設定を理解することなしに、利用可能な設定のいずれかの限度内にある設定を決定し得る。
【０１４８】
この実施形態は、ＬＴＥ  ＤＣ能力／設定ネゴシエーションと同様であるが、他方のノードのＲＡＴ能力／設定を把握する必要がない。
【０１４９】
特定の問題は、利用可能である「特徴組合せセット」の変更を生じる１つのノード（ＭＣＧまたはＳＣＧ）の設定の変更がピアノードとのハンドシェーキングを必要とすることである。ＬＴＥ  ＤＣでは、ＭｅＮＢは、再設定がＵＥの現在の設定に適合する場合、その再設定をＵＥに直接送る自由を有する。ＬＴＥ／ＮＲ  ＤＣの場合、ＳｇＮＢは、再設定が現在のＵＥ設定に適合する場合、（ＳＣＧ  ＳＲＢを介して）その再設定を直接ＵＥに伝達することが可能であり得る。
【０１５０】
多くの再設定が、ＵＥ能力に対する、すなわち、適合「特徴組合せセット」のリストに対する影響を有する可能性がある。したがって、ＭｅＮＢ（ＳｇＮＢ）からＳｇＮＢ（ＳＣＧ）に提供される、許容される特徴セットのリストが、現在のＭＣＧ（ＳＣＧ）設定から導出される場合、たいていの再設定は、関与するノードの間の協調を必要とする。
【０１５１】
ＭＣＧおよびＳＣＧがそれらのピアノードに通知することなしにそれらの設定を変更することができる場合の数を増加させるために、特定の実施形態は、利用可能な「特徴組合せセット」のリストを、ＭＣＧとＳＣＧのピアの現在の設定にではなく、ピアが使用することを希望し得る最大設定に基づかせる。
【０１５２】
上記で説明された実施形態の一般的な例は、図４および図５に示されている。図４は、ＵＥなど、無線デバイスにおける一例であり、図５は、ｅＮＢまたはｇＮＢなど、ネットワークノードにおける一例である。
【０１５３】
図４は、特定の実施形態による、無線デバイスにおける例示的な方法を示す流れ図である。特定の実施形態では、図４の１つまたは複数のステップは、図２に関して説明されたネットワーク１００の無線デバイス１１０によって実施され得る。
【０１５４】
方法はステップ４１２において開始し、無線デバイスは、無線デバイスによってサポートされる１つまたは複数の周波数帯域組合せをコンパイルする。各周波数帯域組合せは、無線デバイスが無線信号の送信または受信のために一緒に使用することができる複数の周波数帯域を備える。
【０１５５】
たとえば、無線デバイス１１０は、キャリアｆ１、ｆ２、ｆ３およびｆ４をサポートし得る。キャリアｆ１およびｆ２は第１の帯域組合せを形成し得、ｆ３およびｆ４は第２の帯域組合せを形成し得る。無線デバイス１１０は、それ自体のハードウェア（たとえば、無線プロセッサ）またはソフトウェア特徴を検出、取得、または決定することによって情報をコンパイルし得るか、あるいは、無線デバイス１１０は、特定の帯域または組合せがあらかじめ設定され得る。無線デバイスは、上記で説明された実施形態および例のいずれかに従って、周波数帯域組合せをコンパイルし得る。
【０１５６】
ステップ４１４において、無線デバイスは、無線デバイスによってサポートされるデバイス能力のセットをコンパイルする。たとえば、無線デバイス１１０は、ＭＩＭＯ、ＣＡ、または任意の他の好適な特徴をサポートし得る。無線デバイス１１０は、それ自体のハードウェアまたはソフトウェア特徴を検出、取得、または決定することによって情報をコンパイルし得るか、あるいは、無線デバイス１１０は、特定の能力があらかじめ設定され得る。無線デバイスは、上記で説明された実施形態および例のいずれかに従って、デバイス能力を取得し得る。
【０１５７】
ステップ４１６において、無線デバイスは、能力メッセージをアセンブルする。能力メッセージは、無線デバイスによってサポートされる１つまたは複数の周波数帯域組合せと、無線デバイスによってサポートされるデバイス能力の１つまたは複数の組合せとを含む。１つまたは複数の周波数帯域組合せの各々について、能力メッセージは、周波数帯域組合せによってサポートされる１つまたは複数のデバイス能力の第１の指示を含む。周波数帯域組合せによってサポートされる１つまたは複数のデバイス能力の第１の指示は、複数の周波数帯域の各帯域について、周波数帯域組合せ中の他の帯域と組み合わせて使用されるとき、帯域によってサポートされるデバイス能力の１つまたは複数の組合せのうちの１つの指示を備える。
【０１５８】
たとえば、無線デバイス１１０は、無線デバイス１１０がサポートする周波数帯域組合せの各々を表す周波数テーブルを含む能力メッセージをアセンブルし得る。メッセージは、無線デバイス１１０によってサポートされるデバイス特徴の各々を表す能力テーブルをも含み得る。特定の周波数帯域組合せについての周波数テーブルの各行は、周波数組合せの１つの周波数を表す。周波数テーブルの列は、特定の周波数によってサポートされるデバイス特徴を示すために、能力テーブルの１つまたは複数の行へのインデックスまたはポインタを含み得る。列全体が、周波数帯域組合せについて能力の１つのセットを表す。したがって、１つの列は、周波数帯域組合せによってサポートされる１つまたは複数のデバイス能力の第１の指示と呼ばれることがある。列は、複数の周波数帯域の各帯域について、周波数帯域組合せ中の他の帯域と組み合わせて使用されるとき、帯域によってサポートされるデバイス能力の１つまたは複数の組合せのうちの１つの指示を備える。一例として列が使用されるが、いくつかの実施形態は、列の代わりに行を使用し得る。
【０１５９】
特定の例として、ｆ１＋ｆ２＋ｆ３の周波数帯域組合せについての周波数テーブルは、ｆ１、ｆ２、およびｆ３の各々についての行を含む。８×８ＭＩＭＯを備えるデバイス能力が、インデックス１によって識別され得る。４×４ＭＩＭＯを備えるデバイス能力が、インデックス２によって識別され得る。一設定では、無線デバイスは、ｆ１上で８×８ＭＩＭＯをサポートし、ｆ２およびｆ３上で４×４ＭＩＭＯをサポートし得、周波数テーブルは、以下を備え得る。
2020536450.tif 000012
【０１６０】
いくつかの実施形態では、デバイス能力テーブル中の各特徴は、コストに関連し得る。無線デバイス１１０は、上記で説明された実施形態および例のいずれかに従って、能力メッセージをアセンブルし得る。
【０１６１】
特定の実施形態では、１つまたは複数の周波数帯域組合せの各々について、能力メッセージは、周波数帯域組合せによってサポートされる１つまたは複数のデバイス能力の第２の指示を含む。周波数帯域組合せによってサポートされる１つまたは複数のデバイス能力の第２の指示は、複数の周波数帯域の各帯域について、周波数帯域組合せ中の他の帯域と組み合わせて使用されるとき、帯域によってサポートされるデバイス能力の１つまたは複数の組合せのうちの１つの指示を備える。
【０１６２】
たとえば、特定の周波数帯域組合せについての周波数テーブルは、特定の周波数によってサポートされるデバイス特徴を示すために、能力テーブルの１つまたは複数の行へのインデックスまたはポインタを含む第２の列を含み得る。第２の列全体が、周波数帯域組合せについて能力の別のセットを表す。
【０１６３】
別の設定では、無線デバイスは、ｆ１およびｆ２上で４×４ＭＩＭＯをサポートし、ｆ３上で８×８ＭＩＭＯをサポートし得、周波数テーブルは、以下を備え得る。
2020536450.tif 000013
【０１６４】
上記の例では、説明を簡単にするために単一の能力が示されている。特定の実施形態では、デバイス能力（たとえば、帯域のための帯域幅、ＮＡＩＣＳのサポート、サポートされるＭＩＭＯレイヤの数、帯域中でサポートされるキャリアの数、アップリンクについての帯域中でサポートされるキャリアの数、およびダウンリンクについての帯域中でサポートされるキャリアの数）は、任意の好適な数およびタイプの能力を含み得る。特定の実施形態では、列は、ダウンリンク能力またはアップリンク能力に言及し得る。特定の実施形態は、任意の好適な数の列および行を含み得る。
【０１６５】
ステップ４１８において、無線デバイスは、能力メッセージをネットワークノードに送る。たとえば、無線デバイス１１０は、能力メッセージをネットワークノード１２０に送り得る。
【０１６６】
ステップ４２０において、無線デバイスは、ネットワークノードからデバイス設定を受信し得る。デバイス設定は、１つまたは複数の周波数帯域組合せのうちの１つに応じた設定を備える。たとえば、無線デバイス１１０は、無線デバイス１１０がネットワークノード１２０に前にシグナリングした１つの周波数組合せに従って、ネットワークノード１２０からデバイス設定を受信し得る。
【０１６７】
図４の方法４００に対して修正、追加、または省略が行われ得る。さらに、図４の方法における１つまたは複数のステップは、並行してまたは任意の好適な順序で実施され得る。ステップは、必要に応じて経時的に繰り返され得る。
【０１６８】
図５は、特定の実施形態による、ネットワークノードにおける例示的な方法を示す流れ図である。特定の実施形態では、図５の１つまたは複数のステップは、図２に関して説明されたネットワーク１００のネットワークノード１２０によって実施され得る。
【０１６９】
方法はステップ５１２において開始し、ネットワークノードは、無線デバイスから、能力メッセージを受信する。能力メッセージは、無線デバイスによってサポートされる１つまたは複数の周波数帯域組合せと、無線デバイスによってサポートされるデバイス能力の１つまたは複数の組合せとを含む。１つまたは複数の周波数帯域組合せの各々について、能力メッセージは、周波数帯域組合せによってサポートされる１つまたは複数のデバイス能力の第１の指示を含む。周波数帯域組合せによってサポートされる１つまたは複数のデバイス能力の第１の指示は、複数の周波数帯域の各帯域について、周波数帯域組合せ中の他の帯域と組み合わせて使用されるとき、帯域によってサポートされるデバイス能力の１つまたは複数の組合せのうちの１つの指示を備える。
【０１７０】
たとえば、ネットワークノード１２０は、図４のステップ４１６に関して説明された能力メッセージを無線デバイス１１０から受信し得る。
【０１７１】
ステップ５１４において、ネットワークノードは、能力メッセージに基づいて無線デバイスのための設定を決定する。たとえば、ネットワークノード１２０は、８×８ＭＩＭＯまたはＣＡをサポートすることを希望し得る。能力メッセージに基づいて、ネットワークノード１２０は、どの周波数帯域が（１つまたは複数の）所望の特徴をサポートするかを決定し、それに応じて無線デバイス１１０を設定する。
【０１７２】
いくつかの実施形態では、所望の特徴がコストに関連し得る。たとえば、無線デバイス１１０は、４つの異なる周波数帯域上でＭＩＭＯをサポートすることが可能であり得るが、無線デバイス１１０は、同時に２つの周波数帯域上でＭＩＭＯをサポートするのに十分な処理パワーを有するにすぎないことがある。したがって、無線デバイス１１０は、ＭＩＭＯを実施するために２つの合計クレジットを割り当て得る。各ＭＩＭＯインスタンスは１つのクレジットのコストを有し得る。したがって、ネットワークノード１２０は、２つの周波数帯域上でＭＩＭＯを設定した後に、第３の周波数帯域もＭＩＭＯをサポートするにもかかわらず、ネットワークノード１２０が第３の周波数帯域上でＭＩＭＯを設定することができないことを知る。ネットワークノード１２０は、上記で説明された実施形態および例のいずれかに従って、無線デバイス１１０のための設定を決定し得る。
【０１７３】
ステップ５１６において、ネットワークノードは、決定された設定を無線デバイスに送り得る。たとえば、ネットワークノード１２０は、設定を無線デバイス１１０に送り得る。
【０１７４】
図５の方法５００に対して修正、追加、または省略が行われ得る。さらに、図５の方法における１つまたは複数のステップは、並行してまたは任意の好適な順序で実施され得る。ステップは、必要に応じて経時的に繰り返され得る。
【０１７５】
図６Ａは、無線デバイスの例示的な実施形態を示すブロック図である。無線デバイスは、図２に示されている無線デバイス１１０の一例である。特定の実施形態では、無線デバイスは、デバイス能力をネットワークノードにシグナリングすることが可能である。
【０１７６】
無線デバイスの特定の例は、モバイルフォン、スマートフォン、ＰＤＡ（携帯情報端末）、ポータブルコンピュータ（たとえば、ラップトップ、タブレット）、センサー、モデム、マシン型（ＭＴＣ）デバイス／マシンツーマシン（Ｍ２Ｍ）デバイス、ラップトップ埋込み機器（ＬＥＥ）、ラップトップ搭載機器（ＬＭＥ）、ＵＳＢドングル、デバイスツーデバイス対応デバイス、車両間デバイス、または無線通信を与えることができる任意の他のデバイスを含む。無線デバイスは、トランシーバ１３１０と、処理回路要素１３２０と、メモリ１３３０と、電源１３４０とを含む。いくつかの実施形態では、トランシーバ１３１０は、（たとえば、アンテナを介して）無線信号を無線ネットワークノード１２０に送信すること、および無線信号を無線ネットワークノード１２０から受信することを可能にし、処理回路要素１３２０は、無線デバイスによって与えられるものとして本明細書で説明される機能性の一部または全部を与えるための命令を実行し、メモリ１３３０は、処理回路要素１３２０によって実行される命令を記憶する。電源１３４０は、トランシーバ１３１０、処理回路要素１３２０、および／またはメモリ１３３０など、無線デバイス１１０の構成要素のうちの１つまたは複数に電力を供給する。
【０１７７】
処理回路要素１３２０は、無線デバイスの説明される機能の一部または全部を実施するために命令を実行し、データを操作するための、１つまたは複数の集積回路またはモジュールにおいて実装されたハードウェアとソフトウェアとの任意の好適な組合せを含む。いくつかの実施形態では、処理回路要素１３２０は、たとえば、１つまたは複数のコンピュータ、１つまたは複数のプログラマブル論理デバイス、１つまたは複数の中央処理ユニット（ＣＰＵ）、１つまたは複数のマイクロプロセッサ、１つまたは複数のアプリケーション、および／または他の論理、ならびに／あるいは前述の任意の好適な組合せを含み得る。処理回路要素１３２０は、無線デバイス１１０の説明される機能の一部または全部を実施するように設定されたアナログおよび／またはデジタル回路要素を含み得る。たとえば、処理回路要素１３２０は、抵抗器、キャパシタ、インダクタ、トランジスタ、ダイオード、および／または任意の他の好適な回路構成要素を含み得る。
【０１７８】
メモリ１３３０は、概して、コンピュータ実行可能コードおよびデータを記憶するように動作可能である。メモリ１３３０の例は、コンピュータメモリ（たとえば、ランダムアクセスメモリ（ＲＡＭ）または読取り専用メモリ（ＲＯＭ））、大容量記憶媒体（たとえば、ハードディスク）、リムーバブル記憶媒体（たとえば、コンパクトディスク（ＣＤ）またはデジタルビデオディスク（ＤＶＤ））、ならびに／あるいは情報を記憶する任意の他の揮発性または不揮発性、非一時的コンピュータ可読および／またはコンピュータ実行可能メモリデバイスを含む。
【０１７９】
電源１３４０は、概して、無線デバイス１１０の構成要素に電力を供給するように動作可能である。電源１３４０は、リチウムイオン、リチウム空気、リチウムポリマー、ニッケルカドミウム、ニッケル金属水素化物、または無線デバイスに電力を供給するための任意の他の好適なタイプのバッテリーなど、任意の好適なタイプのバッテリーを含み得る。
【０１８０】
無線デバイスの他の実施形態は、上記で説明された機能性および／または（上記で説明されたソリューションをサポートするのに必要な任意の機能性を含む）任意の追加の機能性のうちのいずれかを含む、無線デバイスの機能性のいくつかの態様を与えることを担当する（図６Ａに示されている構成要素以外の）追加の構成要素を含み得る。
【０１８１】
図６Ｂは、無線デバイス１１０の例示的な構成要素を示すブロック図である。構成要素は、取得モジュール１３５０と、送信モジュール１３５２と、アセンブルモジュール１３５４とを含み得る。
【０１８２】
取得モジュール１３５０は、無線デバイス１１０の取得機能を実施し得る。たとえば、取得モジュール１３５０は、上記で説明された例および実施形態のいずれかに従って、周波数帯域情報とデバイス能力情報とをコンパイル（たとえば、取得、決定など）し得る。いくつかの実施形態では、取得モジュール１３５０は、処理回路要素１３２０を含むか、または処理回路要素１３２０中に含まれ得る。特定の実施形態では、取得モジュール１３５０は、送信モジュール１３５２およびアセンブルモジュール１３５４と通信し得る。
【０１８３】
送信モジュール１３５２は、無線デバイス１１０の送信機能を実施し得る。たとえば、送信モジュール１３５２は、能力メッセージをネットワークノードに送信し得る。いくつかの実施形態では、送信モジュール１３５２は、処理回路要素１３２０を含むか、または処理回路要素１３２０中に含まれ得る。特定の実施形態では、送信モジュール１３５２は、取得モジュール１３５０およびアセンブルモジュール１３５４と通信し得る。
【０１８４】
アセンブルモジュール１３５４は、無線デバイス１１０のアセンブル機能を実施し得る。たとえば、アセンブルモジュール１３５４は、上記で説明された例および実施形態のいずれかに従って、能力メッセージをアセンブルし得る。いくつかの実施形態では、アセンブルモジュール１３５４は、処理回路要素１３２０を含むか、または処理回路要素１３２０中に含まれ得る。特定の実施形態では、アセンブルモジュール１３５４は、取得モジュール１３５０および送信モジュール１３５２と通信し得る。
【０１８５】
図７Ａは、ネットワークノードの例示的な実施形態を示すブロック図である。ネットワークノードは、図２に示されているネットワークノード１２０の一例である。特定の実施形態では、ネットワークノードは、無線デバイスからデバイス能力情報を受信し、デバイス能力情報に基づいて無線デバイスのための設定を決定することが可能である。
【０１８６】
ネットワークノード１２０は、ｅノードＢ、ノードＢ、基地局、無線アクセスポイント（たとえば、Ｗｉ−Ｆｉアクセスポイント）、低電力ノード、基地トランシーバ局（ＢＴＳ）、送信ポイントまたはノード、リモートＲＦユニット（ＲＲＵ）、リモート無線ヘッド（ＲＲＨ）、または他の無線アクセスノードであり得る。ネットワークノードは、少なくとも１つのトランシーバ１４１０と、少なくとも１つの処理回路要素１４２０と、少なくとも１つのメモリ１４３０と、少なくとも１つのネットワークインターフェース１４４０とを含む。トランシーバ１４１０は、（たとえば、アンテナを介して）無線信号を無線デバイス１１０などの無線デバイスに送信すること、および無線信号を無線デバイス１１０などの無線デバイスから受信することを可能にし、処理回路要素１４２０は、ネットワークノード１２０によって与えられるものとして上記で説明された機能性の一部または全部を与えるための命令を実行し、メモリ１４３０は、処理回路要素１４２０によって実行される命令を記憶し、ネットワークインターフェース１４４０は、ゲートウェイ、スイッチ、ルータ、インターネット、公衆交換電話網（ＰＳＴＮ）、コントローラ、および／または他のネットワークノード１２０など、バックエンドネットワーク構成要素に信号を通信する。処理回路要素１４２０およびメモリ１４３０は、上記の図６Ａの処理回路要素１３２０およびメモリ１３３０に関して説明されたのと同じタイプのものであり得る。
【０１８７】
いくつかの実施形態では、ネットワークインターフェース１４４０は、処理回路要素１４２０に通信可能に結合され、ネットワークノード１２０のための入力を受信するか、ネットワークノード１２０からの出力を送るか、入力または出力あるいはその両方の好適な処理を実施するか、他のデバイスに通信するか、または前述の任意の組合せを行うように動作可能な任意の好適なデバイスを指す。ネットワークインターフェース１４４０は、ネットワークを通して通信するために、適切なハードウェア（たとえば、ポート、モデム、ネットワークインターフェースカードなど）と、プロトコル変換能力およびデータ処理能力を含むソフトウェアとを含む。
【０１８８】
図７Ｂは、ネットワークノード１２０の例示的な構成要素を示すブロック図である。構成要素は、決定モジュール１４５０と、送信モジュール１４５２と、受信モジュール１４５４とを含み得る。
【０１８９】
決定モジュール１４５０は、ネットワークノード１２０の決定機能を実施し得る。たとえば、決定モジュール１４５０は、上記で説明された例および実施形態のいずれかに従って、デバイス能力情報を使用して無線デバイスのための設定を決定し得る。いくつかの実施形態では、決定モジュール１４５０は、処理回路要素１４２０を含むか、または処理回路要素１４２０中に含まれ得る。特定の実施形態では、決定モジュール１４５０は、送信モジュール１４５２および受信モジュール１４５４と通信し得る。
【０１９０】
送信モジュール１４５２は、ネットワークノード１２０の送信機能を実施し得る。たとえば、送信モジュール１４５２は、上記で説明された例および実施形態のいずれかに従って、デバイス設定を無線デバイスに送信し得る。いくつかの実施形態では、送信モジュール１４５２は、処理回路要素１４２０を含むか、または処理回路要素１４２０中に含まれ得る。特定の実施形態では、送信モジュール１４５２は、決定モジュール１４５０および受信モジュール１４５４と通信し得る。
【０１９１】
受信モジュール１４５４は、ネットワークノード１２０の受信機能を実施し得る。たとえば、受信モジュール１４５４は、上記で説明された例および実施形態のいずれかに従って、無線デバイスからデバイス能力メッセージを受信し得る。いくつかの実施形態では、受信モジュール１４５４は、処理回路要素１４２０を含むか、または処理回路要素１４２０中に含まれ得る。特定の実施形態では、受信モジュール１４５４は、決定モジュール１４５０および送信モジュール１４５２と通信し得る。
【０１９２】
本発明の範囲から逸脱することなく、本明細書で開示されるシステムおよび装置に対して修正、追加、または省略が行われ得る。システムおよび装置の構成要素は、統合または分離され得る。その上、システムおよび装置の動作は、より多数の、より少数の、または他の構成要素によって実施され得る。さらに、システムおよび装置の動作は、ソフトウェア、ハードウェア、および／または他の論理を含む任意の好適な論理を使用して実施され得る。本明細書で使用される「各々」は、セットの各部材またはセットのサブセットの各部材を指す。
【０１９３】
本発明の範囲から逸脱することなく、本明細書で開示される方法に対して修正、追加、または省略が行われ得る。本方法は、より多数の、より少数の、または他のステップを含み得る。さらに、ステップは、任意の好適な順序で実施され得る。
【０１９４】
本開示はいくつかの実施形態に関して説明されたが、実施形態の改変および置換は当業者に明らかである。したがって、実施形態の上記の説明は、本開示を制約しない。他の変更、置換、および改変が、以下の特許請求の範囲によって規定される、本開示の趣旨および範囲から逸脱することなく可能である。
【０１９５】
前述の説明で使用される略語は、以下を含む。
３ＧＰＰ  第３世代パートナーシッププロジェクト
５Ｇ  第５世代
ＢＢＵ  ベースバンドユニット
ＢＣ  帯域組合せ
ＢＰＣ  ベースバンド処理能力
ＢＴＳ  基地トランシーバ局
ＣＡ  キャリアアグリゲーション
ＣＣ  コンポーネントキャリア
ＣＮ  コアネットワーク
ＣＱＩ  チャネル品質情報
ＣＳＩ  チャネル状態情報
Ｄ２Ｄ  デバイスツーデバイス
ＤＣ  デュアルコネクティビティ
ＤＦＴ  離散フーリエ変換
ＤＭＲＳ  復調用参照信号
ｅＭＢＢ  拡張モバイルブロードバンド
ｅＮＢ  ｅノードＢ
ＥＵＴＲＡＮ  拡張ＵＭＴＳ地上無線アクセスネットワーク
ＦＤＤ  周波数分割複信
ＦＦＴ  高速フーリエ変換
ｇＮＢ  次世代ノードＢ
ＬＡＡ  ライセンス支援型アクセス
ＬＢＴ  リッスンビフォアトーク
ＬＴＥ  Ｌｏｎｇ  Ｔｅｒｍ  Ｅｖｏｌｕｔｉｏｎ
ＬＴＥ−Ｕ  未ライセンススペクトルにおけるＬＴＥ
Ｍ２Ｍ  マシンツーマシン
ＭＣＳ  変調符号化方式
ＭＩＢ  マスタ情報ブロック
ＭＩＭＯ  多入力多出力
ＭＭＥ  モビリティ管理エンティティ
ＭＴＣ  マシン型通信
ＮＡＩＣＳ  ネットワーク支援干渉除去および抑制
ＮＲ  新しい無線
ＯＦＤＭ  直交周波数分割多重
ＰＲＢ  物理リソースブロック
ＰＵＣＣＨ  物理アップリンク制御チャネル
ＰＵＳＣＨ  物理アップリンク共有チャネル
ＲＡＮ  無線アクセスネットワーク
ＲＡＴ  無線アクセス技術
ＲＢＳ  無線基地局
ＲＮＣ  無線ネットワークコントローラ
ＲＲＣ  無線リソース制御
ＲＲＨ  リモート無線ヘッド
ＲＲＭ  無線リソース管理
ＲＲＵ  リモートラジオユニット
ＳＣｅｌｌ  ２次セル
ＳＩ  システム情報
ＳＩＢ  システム情報ブロック
ＳＲ  スケジューリング要求
ＴＢ  トランスポートブロック
ＴＢＳ  トランスポートブロックサイズ
ＴＤＤ  時分割複信
ＴＴＩ  送信時間間隔
ＵＥ  ユーザ機器
ＵＬ  アップリンク
ＵＲＬＬＣ  超高信頼低レイテンシ通信
ＵＴＲＡＮ  ユニバーサル地上無線アクセスネットワーク
ＷＡＮ  無線アクセスネットワーク
【図１】
2020536450.tif 000014
【図２】
2020536450.tif 000015
【図３】
2020536450.tif 000016
【図４】
2020536450.tif 000017
【図５】
2020536450.tif 000018
【図６Ａ】
2020536450.tif 000019
【図６Ｂ】
2020536450.tif 000020
【図７Ａ】
2020536450.tif 000021
【図７Ｂ】
2020536450.tif 000022
【手続補正書】
【提出日】令和2年6月16日(2020.6.16)
【手続補正１】
【補正対象書類名】特許請求の範囲
【補正対象項目名】全文
【補正方法】変更
【補正の内容】
【特許請求の範囲】
【請求項１】
無線通信ネットワークの無線デバイスにおいて使用するためのデバイス能力をシグナリングする方法であって、前記方法は、
前記無線デバイスによってサポートされる１つまたは複数の周波数帯域組合せをコンパイルすること（４１２）であって、各周波数帯域組合せは、前記無線デバイスが無線信号の送信または受信のために一緒に使用することができる複数の周波数帯域を含む、１つまたは複数の周波数帯域組合せをコンパイルすること（４１２）と、
前記無線デバイスによってサポートされるデバイス能力のセットをコンパイルすること（４１４）と、
能力メッセージをアセンブルすること（４１６）であって、前記能力メッセージが、
前記無線デバイスによってサポートされる前記１つまたは複数の周波数帯域組合せと、
前記１つまたは複数の周波数帯域組合せの１つまたは複数の帯域上で前記無線デバイスによってサポートされる前記デバイス能力の１つまたは複数の組合せと
を含み、
前記１つまたは複数の周波数帯域組合せの各々について、前記能力メッセージが、前記周波数帯域組合せによってサポートされる１つまたは複数のデバイス能力の第１の指示を含み、前記周波数帯域組合せによってサポートされる前記１つまたは複数のデバイス能力の前記第１の指示が、前記複数の周波数帯域の各帯域について、前記周波数帯域組合せ中の他の帯域と組み合わせて使用されるとき、前記帯域によってサポートされる前記デバイス能力の前記１つまたは複数の組合せのうちの１つの指示を含む、
能力メッセージをアセンブルすること（４１６）と、
前記能力メッセージをネットワークノードに送ること（４１８）と
を含む、方法。
【請求項２】
前記複数の周波数帯域の各帯域について、前記周波数帯域組合せ中の前記他の帯域と組み合わせて使用されるとき、前記帯域によってサポートされる前記デバイス能力の前記１つまたは複数の組合せのうちの１つの前記指示が、アップリンクデバイス能力の指示とダウンリンク能力の指示とを含む、請求項１に記載の方法。
【請求項３】
前記１つまたは複数の周波数帯域組合せの各々について、前記能力メッセージが、前記周波数帯域組合せによってサポートされる１つまたは複数のデバイス能力の第２の指示を含み、前記周波数帯域組合せによってサポートされる前記１つまたは複数のデバイス能力の前記第２の指示が、前記複数の周波数帯域の各帯域について、前記周波数帯域組合せ中の前記他の帯域と組み合わせて使用されるとき、前記帯域によってサポートされる前記デバイス能力の前記１つまたは複数の組合せのうちの１つの指示を含む、請求項１または２に記載の方法。
【請求項４】
前記デバイス能力の前記１つまたは複数の組合せの各々がインデックスに関連付けられ、前記帯域によってサポートされる前記デバイス能力の前記１つまたは複数の組合せのうちの１つの前記指示が、前記デバイス能力の前記１つまたは複数の組合せのうちの１つの前記インデックスを含む、請求項１から３のいずれか一項に記載の方法。
【請求項５】
前記デバイス能力が、
前記帯域のための帯域幅、
ネットワーク支援干渉除去および抑制（ＮＡＩＣＳ）のサポート、
サポートされる多入力多出力（ＭＩＭＯ）レイヤの数、
前記帯域中でサポートされるキャリアの数、
アップリンクについての前記帯域中でサポートされるキャリアの数、および
ダウンリンクについての前記帯域中でサポートされるキャリアの数
のグループから選択される少なくとも１つの能力を含む、請求項１から４のいずれか一項に記載の方法。
【請求項６】
デバイス能力の前記セットが、各デバイス能力に関連するコストを含み、前記コストが、前記能力を実施するために必要とされるデバイス処理パワーの量を表す、請求項１から５のいずれか一項に記載の方法。
【請求項７】
前記ネットワークノードからデバイス設定を受信すること（４２０）であって、前記デバイス設定が、前記１つまたは複数の周波数帯域組合せのうちの１つに応じた設定を含む、デバイス設定を受信すること（４２０）をさらに含む、請求項１から６のいずれか一項に記載の方法。
【請求項８】
デバイス能力をシグナリングすることが可能な無線デバイス（１１０）であって、前記無線デバイスは、
前記無線デバイスによってサポートされる１つまたは複数の周波数帯域組合せをコンパイルすることであって、各周波数帯域組合せは、前記無線デバイスが無線信号の送信または受信のために一緒に使用することができる複数の周波数帯域を含む、１つまたは複数の周波数帯域組合せをコンパイルすることと、
前記無線デバイスによってサポートされるデバイス能力のセットをコンパイルすることと、
能力メッセージをアセンブルすることであって、前記能力メッセージが、
前記無線デバイスによってサポートされる前記１つまたは複数の周波数帯域組合せと、
前記１つまたは複数の周波数帯域組合せの１つまたは複数の帯域上で前記無線デバイスによってサポートされる前記デバイス能力の１つまたは複数の組合せと
を含み、
前記１つまたは複数の周波数帯域組合せの各々について、前記能力メッセージが、前記周波数帯域組合せによってサポートされる１つまたは複数のデバイス能力の第１の指示を含み、前記周波数帯域組合せによってサポートされる前記１つまたは複数のデバイス能力の前記第１の指示が、前記複数の周波数帯域の各帯域について、前記周波数帯域組合せ中の他の帯域と組み合わせて使用されるとき、前記帯域によってサポートされる前記デバイス能力の前記１つまたは複数の組合せのうちの１つの指示を含む、
能力メッセージをアセンブルすることと、
前記能力メッセージをネットワークノード（１２０）に送ることと
を行うように動作可能な処理回路要素（１３２０）を含む、無線デバイス（１１０）。
【請求項９】
前記複数の周波数帯域の各帯域について、前記周波数帯域組合せ中の前記他の帯域と組み合わせて使用されるとき、前記帯域によってサポートされる前記デバイス能力の前記１つまたは複数の組合せのうちの１つの前記指示が、アップリンクデバイス能力の指示とダウンリンク能力の指示とを含む、請求項８に記載の無線デバイス。
【請求項１０】
前記１つまたは複数の周波数帯域組合せの各々について、前記能力メッセージが、前記周波数帯域組合せによってサポートされる１つまたは複数のデバイス能力の第２の指示を含み、前記周波数帯域組合せによってサポートされる前記１つまたは複数のデバイス能力の前記第２の指示が、前記複数の周波数帯域の各帯域について、前記周波数帯域組合せ中の前記他の帯域と組み合わせて使用されるとき、前記帯域によってサポートされる前記デバイス能力の前記１つまたは複数の組合せのうちの１つの指示を含む、請求項８または９に記載の無線デバイス。
【請求項１１】
前記デバイス能力の前記１つまたは複数の組合せの各々がインデックスに関連付けられ、前記帯域によってサポートされる前記デバイス能力の前記１つまたは複数の組合せのうちの１つの前記指示が、前記デバイス能力の前記１つまたは複数の組合せのうちの１つの前記インデックスを含む、請求項８から１０のいずれか一項に記載の無線デバイス。
【請求項１２】
前記デバイス能力が、
前記帯域のための帯域幅、
ネットワーク支援干渉除去および抑制（ＮＡＩＣＳ）のサポート、
サポートされる多入力多出力（ＭＩＭＯ）レイヤの数、
前記帯域中でサポートされるキャリアの数、
アップリンクについての前記帯域中でサポートされるキャリアの数、
ダウンリンクについての前記帯域中でサポートされるキャリアの数
のグループから選択される少なくとも１つの能力を含む、請求項８から１１のいずれか一項に記載の無線デバイス。
【請求項１３】
デバイス能力の前記セットが、各デバイス能力に関連するコストを含み、前記コストが、前記能力を実施するために必要とされるデバイス処理パワーの量を表す、請求項８から１２のいずれか一項に記載の無線デバイス。
【請求項１４】
前記処理回路要素は、前記ネットワークノードからデバイス設定を受信することであって、前記デバイス設定が、前記１つまたは複数の周波数帯域組合せのうちの１つに応じた設定を含む、デバイス設定を受信することを行うようにさらに動作可能である、請求項８から１３のいずれか一項に記載の無線デバイス。
【請求項１５】
無線通信ネットワークのネットワークノードにおいて使用するためのデバイス能力をシグナリングする方法であって、前記方法は、
無線デバイスから、能力メッセージを受信すること（５１２）であって、前記能力メッセージが、
前記無線デバイスによってサポートされる１つまたは複数の周波数帯域組合せと、
前記１つまたは複数の周波数帯域組合せの１つまたは複数の帯域上で前記無線デバイスによってサポートされる前記デバイス能力の１つまたは複数の組合せと
を含み、
前記１つまたは複数の周波数帯域組合せの各々について、前記能力メッセージが、前記周波数帯域組合せによってサポートされる１つまたは複数のデバイス能力の第１の指示を含み、前記周波数帯域組合せによってサポートされる前記１つまたは複数のデバイス能力の前記第１の指示が、複数の周波数帯域の各帯域について、前記周波数帯域組合せ中の他の帯域と組み合わせて使用されるとき、前記帯域によってサポートされる前記デバイス能力の前記１つまたは複数の組合せのうちの１つの指示を含む、
能力メッセージを受信すること（５１２）と、
前記能力メッセージに基づいて前記無線デバイスのための設定を決定すること（５１４）と
を含む、方法。
【請求項１６】
デバイス能力をシグナリングすることが可能なネットワークノード（１２０）であって、前記ネットワークノードは、
無線デバイス（１１０）から、能力メッセージを受信することであって、前記能力メッセージが、
前記無線デバイスによってサポートされる１つまたは複数の周波数帯域組合せと、
前記１つまたは複数の周波数帯域組合せの１つまたは複数の帯域上で前記無線デバイスによってサポートされる前記デバイス能力の１つまたは複数の組合せと
を含み、
前記１つまたは複数の周波数帯域組合せの各々について、前記能力メッセージが、前記周波数帯域組合せによってサポートされる１つまたは複数のデバイス能力の第１の指示を含み、前記周波数帯域組合せによってサポートされる前記１つまたは複数のデバイス能力の前記第１の指示が、複数の周波数帯域の各帯域について、前記周波数帯域組合せ中の他の帯域と組み合わせて使用されるとき、前記帯域によってサポートされる前記デバイス能力の前記１つまたは複数の組合せのうちの１つの指示を含む、
能力メッセージを受信することと、
前記能力メッセージに基づいて前記無線デバイスのための設定を決定することと
を行うように動作可能な処理回路要素（１４２０）を含む、ネットワークノード（１２０）。
【国際調査報告】
2020536450.tif 000023
2020536450.tif 000024
2020536450.tif 000025